(57)【要約】      （修正有）【課題】処方箋に従った正確な薬品の秤量を支援することのできる薬品秤量装置を提供すること。【解決手段】処方箋に記録された一又は複数の処方薬品名を含む処方箋情報が前記処方箋から読み取られた後（Ｓ１のＹｅｓ側）、薬品容器に記録された収容薬品名を含む収容薬品情報が前記薬品容器から読み取られたとき（Ｓ３のＹｅｓ側）、前記収容薬品名が前記処方薬品名のいずれかに該当する場合には（Ｓ４のＹｅｓ側）、当該処方薬品名が秤量対象として選択される（Ｓ５）。これにより、処方箋に従った正確な薬品の秤量を支援することができる。【選択図】図５
2020054851.tif 000002
【特許請求の範囲】
【請求項１】
薬品を秤量する秤量手段と、
処方箋に記録された一又は複数の処方薬品を識別する処方薬品識別情報を含む処方箋情報を前記処方箋から読み取る処方箋情報読取手段と、
薬品容器に記録された収容薬品を識別する収容薬品識別情報を含む収容薬品情報を前記薬品容器から読み取る収容薬品情報読取手段と、
前記収容薬品情報読取手段により読み取られた前記収容薬品識別情報が示す前記収容薬品が前記処方箋情報読取手段により読み取られた前記処方薬品識別情報が示す前記処方薬品のいずれかに該当する場合に、当該処方薬品を秤量対象として選択する制御手段と、
前記処方箋情報ごとの秤量の完了を入力するための入力手段と、
前記入力手段により秤量の完了が入力された前記処方箋情報に含まれている前記処方薬品の中に秤量が完了していない処方薬品が存在する場合にその旨を表示する未完了表示手段と、
を備え、
前記未完了表示手段は、前記処方箋情報に含まれる前記処方薬品のうち秤量の完了していない処方薬品が存在する場合であって、当該処方薬品が、予め設定された秤量対象とならない秤量対象外の薬品種別の薬品である場合は、前記表示を実行しない、
薬品秤量装置。
【発明の詳細な説明】
【技術分野】
【０００１】
本発明は、処方箋に従って薬品の秤量を行うために用いる薬品秤量装置及びその周辺技術に関する。
【背景技術】
【０００２】
一般に、病院又は調剤薬局において薬剤師は処方箋を参照しながら電子天秤を用いて薬品各々を秤量している。具体的に、薬剤師は、処方箋を参照して必要な薬品を確認し、その薬品が収容された薬品容器を薬品棚などから取り出す。そして、薬剤師は、その薬品容器に収容された薬品を処方箋に記録された処方量に従って電子天秤で秤量する。
【０００３】
一方、例えば特許文献１には、電子天秤の機能と薬品の監査機能とを備えた薬品秤量装置が開示されている。この薬品秤量装置では、薬品を秤量するだけでなく、薬品の秤量値が薬品ごとに予め設定された常用量（１日または１回服用する適正量）であるか否かの監査を行うことが可能である。
【先行技術文献】
【特許文献】
【０００４】
【特許文献１】特許第４３９７９１７号公報
【発明の概要】
【発明が解決しようとする課題】
【０００５】
ところで、前記薬品秤量装置が病院又は調剤薬局で使われている調剤支援システムなどの上位システムとの連携を持たずに単体で用いられる場合には、その上位システムから処方箋のデータを取得することができない。この場合、前記薬品秤量装置では、誰がいつどの薬品を何グラム秤量したかという履歴を記録することができるだけで、薬品容器に記録された薬品名と処方箋に記録された薬品名との照合を行うこと（いわゆる監査業務）はできなかった。そのため、前記薬品秤量装置で薬品を秤量する際、処方箋に記録された薬品名と薬品容器に記録された薬品名との照合は薬剤師の目視のみで行われることになり、薬剤師の人為的ミスが懸念される。
【０００６】
本発明の目的は、処方箋に従った正確な薬品の秤量を支援することのできる薬品秤量装置を提供することにある。
【課題を解決するための手段】
【０００７】
本発明に係る薬品秤量装置は、秤量手段、処方箋情報読取手段、収容薬品情報読取手段、及び制御手段を備える。前記秤量手段は薬品を秤量する。前記処方箋情報読取手段は、処方箋に記録された一又は複数の処方薬品を識別する処方薬品識別情報を含む処方箋情報を前記処方箋から読み取る。前記収容薬品情報読取手段は、薬品容器に記録された収容薬品を識別する収容薬品識別情報を含む収容薬品情報を前記薬品容器から読み取る。前記制御手段は、前記収容薬品情報読取手段により読み取られた前記収容薬品が前記処方箋情報読取手段により読み取られた前記処方薬品のいずれかに該当する場合に、当該処方薬品を秤量対象として選択し、当該処方薬品を秤量対象とする秤量画面を表示手段に表示させる。
【０００８】
本発明に係る薬品秤量システムは、薬品が投入される複数の投入部及び前記投入部各々に投入された薬品を包装する包装ユニットを有する薬品包装装置と、前記薬品秤量装置と、を備える。前記薬品包装装置は、前記記録媒体から情報を読み取る情報読取手段と、前記情報読取手段により読み取られた前記秤量薬品情報に基づいて前記投入部のいずれかを選択して表示する投入先表示手段と、を備える。
【０００９】
本発明に係る薬品秤量プログラムは、コンピュータに、処方箋情報読取工程、収容薬品情報読取工程、及び制御工程を実行させるためのプログラムである。前記処方箋情報読取工程は、処方箋に記録された一又は複数の処方薬品を識別する処方薬品識別情報を含む処方箋情報を前記処方箋から読み取る。前記収容薬品情報読取工程は、薬品容器に記録された収容薬品を識別する収容薬品識別情報を含む収容薬品情報を前記薬品容器から読み取る。前記制御工程は、前記収容薬品情報読取工程により読み取られた前記収容薬品識別情報が示す前記収容薬品が前記処方箋情報読取工程により読み取られた前記処方薬品識別情報が示す前記処方薬品のいずれかに該当する場合に、当該処方薬品を秤量対象として選択し、当該処方薬品を秤量対象とする秤量画面を表示手段に表示させる。
【００１０】
本発明に係る記録媒体は、前記薬品秤量プログラムを記録したコンピュータ読み取り可能な記録媒体である。
【発明の効果】
【００１１】
本発明によれば、処方箋に従った正確な薬品の秤量を支援することのできる薬品秤量装置を提供することができる。
【図面の簡単な説明】
【００１２】
【図１】図１は本発明の実施の形態に係る薬品秤量システムの概略構成を示すブロック図である。
【図２】図２は本発明の実施の形態に係る薬品秤量システムの薬品秤量装置の概略構成を示す模式図である。
【図３】図３は後発医薬品マスターのデータ構造の一例を示す要部ブロック図である。
【図４】図４は本発明の実施の形態に係る薬品秤量システムの薬品包装装置の概略構成を示す模式図である。
【図５】図５は薬品秤量装置で実行される薬品秤量処理の手順の一例を示すフローチャート。
【図６】図６は薬品秤量処理で表示される処方画面の一例を示す図である。
【図７】図７は薬品秤量処理で表示される秤量画面の一例を示す図である。
【図８】図８は薬品秤量処理で表示される経過画面の一例を示す図である。
【図９】図９は薬品秤量処理で表示される警告画面、確認画面、警告画面の一例を示す図。
【図１０】図１０は後発医薬品マスターの登録画面の一例を示す図である。
【図１１】図１１は薬品包装装置で実行される薬品包装処理の手順の一例を示すフローチャートである。
【図１２】図１２は薬品包装装置で実行される薬品包装処理の手順の他の例を示すフローチャートである。
【図１３】図１３は薬品包装装置で実行される薬品包装処理の手順の他の例を示すフローチャートである。
【図１４】図１４は薬品包装装置で実行される薬品包装処理の手順の他の例を示すフローチャートである。
【図１５】図１５は処方箋一括読取モードを説明するための図である。
【図１６】図１６は簿品秤量装置で実行される実行される薬品秤量処理で表示される秤量画面の他の例を示す図である。
【図１７】図１７は薬品秤量システムの他の例を示すブロック図である。
【図１８】図１８は簿品秤量装置で実行される処方入力処理の手順の一例を説明するためのフローチャートである。
【図１９】図１９は簿品秤量装置で実行されるレシピ分割処理の実行結果を説明するための概念図である。
【図２０】図２０は簿品秤量装置で実行されるレシピ取り纏め処理の実行結果を説明するための概念図である。
【図２１】図２１は簿品秤量装置で表示されるシステム連動選択画面の一例を示す図である。
【図２２】図２２は簿品秤量装置で実行される表示制御処理の手順の一例を説明するためのフローチャートである。
【図２３】図２３は簿品秤量装置で表示される処方画面の一例を示す図である。
【図２４】図２４は簿品秤量装置で表示される処方画面の一例を示す図である。
【図２５】図２５は簿品秤量装置で表示される処方一覧画面の一例を示す図である。
【図２６】図２６は簿品秤量装置で表示される処方一覧画面の一例を示す図である。
【図２７】図２７は簿品秤量装置で表示される処方薬品情報画面の一例を示す図である。
【図２８】図２８は簿品秤量装置で表示されるレシピ一覧画面の一例を示す図である。
【図２９】図２９は簿品秤量装置で表示されるレシピ一覧画面の一例を示す図である。
【図３０】図３０は簿品秤量装置で表示される処方薬品情報画面の一例を示す図である。
【図３１】図３１は簿品秤量装置で表示される患者ＩＤの入力画面の一例を示す図である。
【図３２】図３２は簿品秤量装置で実行される後発医薬品使用処理の他の例を説明するためのフローチャートである。
【図３３】図３３は簿品秤量装置で表示される処方画面の一例を示す図である。
【図３４】図３４は簿品秤量装置で実行される処方薬品の変更処理の手順の一例を説明するためのフローチャートである。
【図３５】図３５は簿品秤量装置で表示される処方画面の一例を示す図である。
【図３６】図３６は簿品秤量装置で表示される薬品一覧画面の一例を示す図である。
【図３７】図３７は簿品秤量装置で実行される後発医薬品の登録処理の手順の一例を説明するためのフローチャートである。
【図３８】図３８は簿品秤量装置で表示されるメンテナンス画面の一例を示す図である。
【図３９】図３９は簿品秤量装置で実行される起動処理の手順の一例を説明するためのフローチャートである。
【図４０】図４０は簿品秤量装置で表示される号機選択画面の一例を示す図である。
【図４１】図４１は薬品包装装置で表示される分包入力画面の一例を示す図である。
【図４２】図４２は薬品包装装置で表示される分包入力画面の一例を示す図である。
【図４３】図４３は薬品包装装置で印字される検薬情報の印字イメージの一例を示す図である。
【図４４】図４４は薬品包装装置で印字される検薬情報の印字イメージの一例を示す図である。
【発明を実施するための形態】
【００１３】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１４】
［薬品秤量システム１］
図１に示すように、本発明の実施の形態に係る薬品秤量システム１は、薬品を秤量する薬品秤量装置１０及び薬品を包装する薬品包装装置２０を備えている。医師又は薬剤師などのユーザーは、薬品を薬剤シート３０（薬品載置部材の一例）上に載せて前記薬品秤量装置１０で秤量する。その後、ユーザーは、秤量した薬品が載置された前記薬剤シート３０を前記薬品包装装置２０まで移動させ、その薬品を前記薬品包装装置２０に投入する。これにより、その薬品は前記薬品包装装置２０で１包ずつ分けて包装される。
【００１５】
なお、前記薬品包装装置２０が前記薬品秤量装置１０の各機能を有するものであってもよく、この場合、前記薬品包装装置２０が本発明に係る薬品秤量システムに該当する。また、前記薬品秤量装置１０について本実施の形態で説明しない点については従来構成（例えば特許文献１参照）を採用すればよい。
【００１６】
［薬品秤量装置１０］
まず、図１及び図２を参照しつつ、前記薬品秤量装置１０の概略構成について説明する。
【００１７】
前記薬品秤量装置１０は、制御部１１、天秤ユニット１２、タッチパネル１３、ＲＦＩＤリーダライタ１４、データ記憶部１５、ＵＳＢポート１６、バーコードリーダー１７、プリンター１８などを備えている。特に、前記薬品秤量装置１０の装置本体には、少なくとも前記制御部１１，前記天秤ユニット１２、及び前記タッチパネル１３が一体的に設けられている。前記薬品秤量装置１０は、例えば散薬、水剤、錠剤、ヒート剤（所定量の散薬又は錠剤を包装したもの）などの各種の剤形の薬品の秤量に用いることが可能である。
【００１８】
前記制御部１１は、ＣＰＵ、ＲＯＭ、ＲＡＭ（ＥＥＰＲＯＭ等）などを備え、前記薬品秤量装置１０を統括的に制御するコンピュータである。前記ＣＰＵは、各種のプログラムに従って各種の演算処理を実行するプロセッサーである。前記ＲＯＭは、前記ＣＰＵにより実行されるＢＩＯＳ等のプログラムが予め記憶された不揮発性メモリである。前記ＲＡＭは、前記ＣＰＵによる各種のプログラムの展開及び各種の演算処理におけるデータの一時記憶に用いられる揮発性メモリ又は不揮発性メモリである。
【００１９】
前記天秤ユニット１２は、ステンレス製の天秤台１９に載置された薬品を秤量する秤量手段の一例である。具体的に、前記天秤ユニット１２は、平衡回路、フォースコイル、電流／電圧変換回路、Ａ／Ｄ変換回路などを備えた従来周知の電子天秤でも用いられる天秤ユニットである。前記天秤ユニット１２で秤量された薬品の重量はデジタルデータとして前記制御部１１に入力される。なお、前記薬品秤量装置１０には、前記天秤台１９上の散薬の風による飛散を防止する風防カバー（不図示）が着脱可能である。
【００２０】
ユーザーは、前記薬品秤量装置１０で薬品を秤量する際、前記天秤台１９上に前記薬剤シート３０を載せた後、前記薬剤シート３０上に薬品を載せる。また、前記薬剤シート３０には各種の情報が読み書きされる記録媒体としてＲＦＩＤタグ３１が設けられている。ここに、前記ＲＦＩＤタグ３１は、前記薬剤シート３０が前記天秤台１９上に載置されたときに前記ＲＦＩＤリーダライタ１４によるデータの読み書きが可能な位置に設けられている。なお、前記天秤ユニット１２は、予め設定された前記薬剤シート３０及び前記ＲＦＩＤタグ３１の重量を差し引いた値を薬品の秤量値とする。
【００２１】
前記タッチパネル１３は、前記制御部１１からの制御指示に従って各種の画面及び各種の情報を表示する液晶パネル又は有機ＥＬパネル等の表示部と、前記表示部に表示された操作キーの操作を検知して検知信号を前記制御部１１に入力する検知部とを備えている。即ち、前記タッチパネル１３は、前記薬品秤量装置１０における表示手段及び入力手段を兼ねている。具体的に、前記制御部１１は、前記天秤ユニット１２で秤量された秤量値を前記タッチパネル１３に表示させる（図７参照）。
【００２２】
前記ＲＦＩＤリーダライタ１４は、ＲＦＩＤ（Radio Frequency Identification）の無線通信技術を利用してＲＦＩＤタグ又はＲＦＩＤラベルに情報を記録し、又はＲＦＩＤタグ又はＲＦＩＤラベルから情報を読み取る。前記ＲＦＩＤリーダライタ１４は、前記天秤台１９に隣接して設けられており、前記天秤台１９上に前記薬剤シート３０が載置されたときに前記ＲＦＩＤタグ３１に対して情報を読み書きするために用いられる。もちろん、前記ＲＦＩＤリーダライタ１４は前記薬品秤量装置１０に内蔵されているものであってもよい。また、図２では、前記ＲＦＩＤリーダライタ１４が、前記天秤台１９の左側に配置された例が示されているが、前記天秤台１９の背後に配置される構成であってもよい。
【００２３】
なお、前記天秤台１９が樹脂などであってＲＦＩＤの無線通信を遮断するものでない場合には、前記ＲＦＩＤリーダライタ１４が前記天秤台１９の下層に設けられ、前記ＲＦＩＤタグ３１が前記薬剤シート３０の底面に設けられる構成も考えられる。これにより、前記薬剤シート３０が前記天秤台１９に載置されたとき、前記薬剤シート３０の向き等に関係なく、前記ＲＦＩＤリーダライタ１４による前記ＲＦＩＤタグ３１に対する情報の読み書きが可能となる。
【００２４】
前記データ記憶部１５は、前記制御部１１で実行される薬品秤量プログラムなどの制御プログラム、医薬品マスター（薬品情報に相当）、後発医薬品マスター（後発医薬品情報に相当）などの各種データが記憶されたＵＳＢメモリであって、前記薬品秤量装置１０に着脱可能である。具体的に、前記データ記憶部１５は、前記薬品秤量装置１０の背面に設けられた着脱カバー（不図示）を取り外すことにより露出する前記ＵＳＢポート１６の装着部に対して着脱される。ここで、前記着脱カバー（不図示）は、前記薬品秤量装置１０の前記制御部１１、前記天秤ユニット１２、前記タッチパネル１３などを分解することなく開閉可能なものである。そのため、前記データ記憶部１５は、計量法上の問題なく前記薬品秤量装置１０に着脱可能である。従って、前記データ記憶部１５を適宜交換することにより、前記薬品秤量プログラム、前記医薬品マスター、前記後発医薬品マスターなどの各種のデータを容易に更新することが可能である。なお、前記データ記憶部１５は、ＵＳＢメモリに限らず、例えば、その他のフラッシュメモリ、メモリーカード、ディスクなどの記録媒体であってもよい。ここに、前記薬品秤量プログラムを記録した前記データ記憶部１５が本発明に係る記録媒体に該当する。
【００２５】
前記薬品秤量プログラムは、前記制御部１１などのコンピュータに後述の薬品秤量処理（図５参照）の各処理工程を実行させるソフトウェアである。例えば、前記薬品秤量プログラムは、前記制御部１１に搭載されるアンドロイド（ａｎｄｒｏｉｄ、登録商標）などのＯＳ上で動作する。また、前記薬品秤量プログラムには、前記制御部１１により薬品の秤量値が薬品ごとに予め設定された常用量（１日または１回服用する適正量）の範囲内であるか否かの監査を行う監査プログラムも含まれている。そのため、前記薬品秤量装置１０は、例えばコンピュータなどの他の情報処理装置を用いることなく、単体で薬品の秤量及び常用量の監査を共に行うことができる。ここに、係る監査処理を実行するときの前記制御部１１が監査手段に相当する。
【００２６】
前記医薬品マスターには、薬品コード、薬品名、ＪＡＮコード（又はＲＳＳ）、薬瓶コード、区分（剤形：散薬、錠剤、水剤、外用薬など）、比重、薬品種（普通薬、毒薬、麻薬、劇薬、抗精神薬、治療薬など）、配合変化、賦形薬品、注意事項、常用量（適正量情報に相当）、同時服用禁止情報などが含まれる。ここに、前記データ記憶部１５が薬品情報記憶手段の一例である。
【００２７】
ここに、ＪＡＮコード（ＲＳＳ）は、製薬メーカーから供給される薬瓶（薬品容器の一例）に記録された収容薬品名（収容薬品識別情報の一例）に対応する情報であり、前記薬瓶には前記ＪＡＮコードがバーコードにより記録（記載）されている。また、薬瓶コードとは、製薬メーカーから供給された薬箱の薬品を薬瓶（薬品容器の一例）に小分けした場合にその薬瓶に記録された収容薬品名に対応する情報であり、前記薬瓶には前記薬瓶コードがバーコードにより記録されている。前記制御部１１は、前記医薬品マスターを参照することにより、前記バーコード各々に対応する収容薬品名を知得することができる。
【００２８】
ところで、本実施形態においては、薬品を識別する情報（処方薬品識別情報、収容薬品識別情報、先発医薬品識別情報、後発医薬品識別情報）として薬品名（処方薬品名、収容薬品名、先発医薬品名、後発医薬品名）を用いる場合を例に挙げて説明するが、これに限らず薬品コード等を用いてもよい。例えば、前記制御部１１及び後述の制御部２１が、薬品の種別を比較する際に、薬品名を比較すること、薬品コードを比較すること、薬品コードが示す薬品名を特定してその薬品名を比較すること、薬品名が示す薬品コードを特定してその薬品コードを比較すること、又はこれらのいずれか複数を組み合わせて比較すること等の各種の方法を採ることが考えられる。
【００２９】
前記常用量は、薬品ごとに対応して予め定められた１日又は１回に服用する適正量である。また、前記同時服用禁止情報は、前記薬品ごとに対応して予め定められた、同時期の服用が禁止された薬品に関する情報である。前記常用量及び前記同時服用禁止情報は、前記制御部１１が前記監査プログラムに従って実行する監査処理で用いられる。具体的に、前記制御部１１は、前記天秤ユニット１２により秤量された秤量値が薬品ごとに予め設定された適正量の範囲内であるか否かの監査を前記データ記憶部１５に記憶された前記常用量に基づいて行う。また、前記制御部１１は、後述のバーコードリーダー１７によって読み取られる処方箋情報に含まれた複数の薬品が同時期の服用が禁止されたものであるか否かの監査を前記データ記憶部１５に記憶された前記同時服用禁止情報に基づいて行う。
【００３０】
そして、前記秤量値が前記常用量の範囲外である場合、又は前記処方箋に記録された薬品に同時に服用することが予め禁止されている薬品が存在する場合、前記制御部１１は、その旨の警告を前記タッチパネル１３などに表示させることが考えられる。なお、前記制御部１１は、前記警告を文字、画像、音声、又は光によって表示する。これにより、前記常用量を超える量の薬品の処方や、同時期に服用することで配合変化又は副作用が生じる複数の薬品の処方を、前記薬品秤量装置１０における薬品の秤量段階で防止することができる。
【００３１】
また、前記後発医薬品マスターには、後発医薬品について、薬品名、ＪＡＮコード（又はＲＳＳ）、薬瓶コード、区分（剤形：散薬、錠剤、水剤、外用薬など）、比重、薬品種（普通薬、毒薬、麻薬、劇薬、抗精神薬、治療薬など）、配合変化、賦形薬品、注意事項、常用量（適正量情報に相当）、同時服用禁止情報などが記憶されている。なお、前記薬品秤量装置１０において前記後発医薬品を秤量する場合にも、前記制御部１１による前記常用量又は前記同時服用禁止情報に基づく監査処理が前述同様に行われる。
【００３２】
また、前記後発医薬品マスターでは、複数の先発医薬品名（先発医薬品識別情報の一例）と複数の後発医薬品名（後発医薬品識別情報の一例）との対応関係が定められている。具体的に、前記後発医薬品マスターでは、同じ薬効を有する先発医薬品名及び後発医薬品名がそれぞれ対応付けて記憶されている。また、前記後発医薬品マスターでは、薬品の一般名に対応付けて前記先発医薬品名及び前記後発医薬品名が記憶されている。ここに、前記データ記憶部１５が後発医薬品情報記憶手段の一例である。前記制御部１１は、前記後発医薬品マスターを参照することにより、前記バーコード各々に対応する後発医薬品名を知得することができる。なお、前記医薬品マスター及び前記後発医薬品マスターは、前記制御部１１によって読み出され、又は前記制御部１１によって編集される。
【００３３】
ここに、図３は、前記医薬品マスター及び前記後発医薬品マスターのデータ構造の一部を模式的に示す要部ブロック図である。図３に示すように、前記医薬品マスターには、薬品コードＡ、Ｂ、Ｃと薬品名ＡＡ、ＢＢ、ＣＣとがそれぞれ対応付けて記憶されている。一方、前記後発医薬品マスターには、後発医薬品コードＡ’、Ａ’’、後発医薬品コードＢ’、Ｂ’’と後発医薬品名ＡＡ’、ＡＡ’’、後発医薬品名Ｂ’、ＢＢ’’とがそれぞれ対応付けて記憶されている。そして、前記後発医薬品コードＡ’、Ａ’’には、前記後発医薬品コードＡ’、Ａ’’に対応する先発医薬品である前記薬品コードＡが対応付けられている。同じく、前記後発医薬品コードＢ’、Ｂ’’には、前記後発医薬品コードＢ’、Ｂ’’に対応する先発医薬品である前記薬品コードＢが対応付けられている。これにより、前記制御部１１は、前記薬品コードＡと前記後発医薬品コードＡ’、ＡＡ’’との対応関係、及び前記薬品コードＢと前記後発医薬品コードＢ’、ＢＢ’’との対応関係をそれぞれ知得することができる。なお、図３では、前記薬品コードＣについての後発医薬品が登録されていない状態を示している。
【００３４】
前記ＵＳＢポート１６は、ＵＳＢ（Universal Serial Bus）通信規格に従ってＵＳＢ機器との間で通信を行う通信インターフェースである。前記ＵＳＢポート１６は、前記データ記憶部１５、前記バーコードリーダー１７及び前記プリンター１８が着脱される少なくとも３つの接続部を有している。また、前記バーコードリーダー１７及び前記プリンター１８の駆動電力は前記ＵＳＢポート１６から供給される。もちろん、前記薬品秤量装置１０、前記バーコードリーダー１７、及び前記プリンター１８が個別に商用交流電源に接続される構成であってもよい。
【００３５】
なお、前記バーコードリーダー１７及び前記プリンター１８と前記薬品秤量装置１０との接続手法はＵＳＢに限らず、例えばＬＡＮ又はＩＥＥＥなどであってもよい。また、前記バーコードリーダー１７及び前記プリンター１８は、無線ＵＳＢや無線ＬＡＮなどにより前記薬品秤量装置１０と通信可能に接続されてもよい。また、前記バーコードリーダー１７は前記薬品秤量装置１０と一体的に設けられたものであってもよい。
【００３６】
前記バーコードリーダー１７は、ＪＡＮコード、ＲＳＳ等の一次元バーコード及びＱＲコード（登録商標）等の二次元コードから情報を読み取るものである。
【００３７】
前記薬品秤量装置１０において、前記制御部１１は、前記バーコードリーダー１７を用いて、処方箋に記録（記載）された一又は複数の処方薬品名（処方薬品識別情報の一例）を含む処方箋情報を前記処方箋に記録（記載）されたＱＲコード（登録商標）などの二次元コードから読み取る。前記二次元コードは、水平方向及び垂直方向に情報を持つ表示方式のコードであり、水平方向のみに情報を有するバーコードに比べて、より多くの情報をコード化することができ、印字面積を小さくすることもできる。ここに、係る読取処理を実行するときの前記制御部１１が処方箋情報読取手段に相当する。なお、前記処方箋情報には、処方箋交付年月日、患者ＩＤ、患者名、患者生年月日、剤形情報（内服、外用など）、薬品情報（薬品コード、薬品名、用量）、用法情報（１日３回毎食後など）などが含まれる。
【００３８】
また、前記薬品秤量装置１０において、前記制御部１１は、前記バーコードリーダー１７を用いて、薬瓶に記録（記載）された収容薬品名を含む収容薬品情報を前記薬瓶にバーコードで記録（記載）されたＪＡＮコード又は薬瓶コードから読み取る。ここに、係る読取処理を実行するときの前記制御部１１が収容薬品情報読取手段に相当する。
【００３９】
なお、前記処方箋情報及び前記収容薬品情報を前記処方箋又は前記薬瓶から読み取る手法は、バーコードを利用するものに限らず、文字認識技術又は画像認識技術を利用するものであってもよい。
【００４０】
例えば、前記薬瓶にＲＦＩＤタグ又はＲＦＩＤラベルなどの情報記録媒体が設けられており、当該情報記録媒体に前記薬瓶に収容された収容薬品名を含む収容薬品情報が記録されていることが考えられる。この場合、前記薬品秤量装置１０が、前記情報記録媒体から無線通信により情報を読み取るＲＦＩＤリーダ等の無線読取手段を備えており、前記制御部１１が、前記薬瓶に設けられた前記情報記録媒体から前記無線読取手段により前記収容薬品情報を読み取ることが考えられる。
【００４１】
また、同じく前記処方箋にＲＦＩＤタグ又はＲＦＩＤラベルなどの情報記録媒体が設けられており、その情報記録媒体に前記処方箋に記録された処方薬品名を含む処方箋情報が記録されていることが考えられる。この場合、前記薬品秤量装置１０が、前記情報記録媒体から無線通信により情報を読み取るＲＦＩＤリーダ等の無線読取手段を備えており、前記制御部１１が、前記処方箋に設けられた前記情報記録媒体から前記無線読取手段により前記処方箋情報を読み取ることが考えられる。
【００４２】
なお、前記制御部１１が、前記収容薬品情報及び前記処方箋情報のいずれか一方を前記バーコードリーダー１７（コード読取手段）で読み取り、他方を前記無線読取手段で読み取る構成も考えられる。一方、前記薬品秤量装置１０が、前記バーコードリーダー１７（コード読取手段）に代えて前記無線読取手段を備えてなり、前記制御部１１が、前記収容薬品情報及び前記処方箋情報の両方を前記無線読取手段で読み取る構成も考えられる。もちろん、前記薬品秤量装置１０が、前記バーコードリーダー１７（コード読取手段）及び前記無線読取手段を共に備える構成では、前記制御部１１が、前記バーコードリーダー１７又は前記無線読取手段を選択的に用いて前記収容薬品情報及び前記処方箋情報を読み取ることが可能である。
【００４３】
前記プリンター１８は、前記制御部１１から前記ＵＳＢポート１６を介して入力される印字データを印刷出力するものである。具体的に、前記プリンター１８は、前記薬品秤量装置１０による秤量結果などを印刷するために用いられる。前記秤量結果の印刷レイアウトは予め設定されており、或いは前記薬品秤量装置１０の初期設定において任意に設定可能である。また、前記薬品秤量装置１０では、前記制御部１１が前記処方箋情報を前記プリンター１８に入力することにより前記処方箋情報を示すバーコード又は二次元コードを前記秤量結果と共に印刷することも可能である。これにより、前記薬品包装装置２０が、前記プリンター１８で印刷された前記処方箋情報に従って分包動作を実行することが可能である。
【００４４】
［薬品包装装置２０］
続いて、図１及び図４を参照しつつ、前記薬品包装装置２０の概略構成について説明する。
【００４５】
図１及び図４に示すように、前記薬品包装装置２０は、制御部２１、包装ユニット２２、タッチパネル２３、ＲＦＩＤリーダライタ２４、及び供給ホッパー２５などを備えている。前記薬品包装装置２０は、投入された散薬を１包分ずつ包装するものであり、散薬分包機とも称される。
【００４６】
前記制御部２１は、ＣＰＵ、ＲＯＭ、ＲＡＭ（ＥＥＰＲＯＭ等）などを備え、前記薬品包装装置２０を統括的に制御するコンピュータである。前記ＣＰＵは、各種のプログラムに従って各種の演算処理を実行するプロセッサーである。前記ＲＯＭは、前記ＣＰＵにより実行されるＢＩＯＳ等のプログラムが予め記憶された不揮発性メモリである。例えば前記ＲＯＭには、前記制御部２１に後述の薬品包装処理を実行させるための薬品包装プログラムが記憶されている。前記ＲＡＭは、前記ＣＰＵによる各種のプログラムの展開及び各種の演算処理におけるデータの一時記憶に用いられる揮発性メモリ又は不揮発性メモリである。
【００４７】
前記供給ホッパー２５は、図４に示すように、散薬を投入するための二つのホッパー２５Ａ、２５Ｂ（投入部に相当）を備えている。そして、前記包装ユニット２２は、前記ホッパー２５Ａ、２５Ｂ各々に投入された散薬を前記処方箋情報に従って１服用単位に分割する分割ユニット２２１（分割手段の一例）と、前記分割ユニット２２１によって分割された後の散薬を包装する包装部２２２（包装手段の一例）とを備え、前記散薬を１服用単位で包装する分包動作を行う。具体的に、前記分割ユニット２２１は、前記ホッパー２５Ａ、２５Ｂ各々に投入された散薬を振動フィーダによって回転する環状分配皿に均等に配分した後、前記環状分配皿を所定角度ずつ回転させながら掻き出しユニットにて前記包装ユニット２２に定量排出する動作を行う。従って、前記包装ユニット２２では、前記ホッパー２５Ａ又は２５Ｂのいずれかに投入された１種類の散薬を１服用単位で分包紙（薬包）に分包することや、前記ホッパー２５Ａ及び２５Ｂに投入された２種類の散薬を１服用単位で同じ分包紙に分包することが可能である。例えば、このように構成された薬品包装装置２０は特許第４６２１４３３号公報などにも開示されている。なお、前記供給ホッパー２５に設けられるホッパーの数は３つ以上であってもよい。さらに、前記薬品包装装置２０では、前記ホッパー２５Ａ又は前記ホッパー２５Ｂに散薬を複数回投入して前記環状分配皿への均等配分を繰り返すことにより複数の散薬を１服用単位で分包紙に分包することも可能である。
【００４８】
前記タッチパネル２３は、前記制御部２１からの制御指示に従って各種の画面及び各種の情報を表示する液晶パネル又は有機ＥＬパネル等の表示部と、前記表示部に表示された操作キーの操作を検知して検知信号を前記制御部２１に入力する検知部とを備えている。即ち、前記タッチパネル２３は、前記薬品包装装置２０における表示手段及び入力手段を兼ねている。
【００４９】
前記ＲＦＩＤリーダライタ２４は、ＲＦＩＤの無線通信技術を利用してＲＦＩＤタグ又はＲＦＩＤラベルに情報を記録し、又はＲＦＩＤタグ又はＲＦＩＤラベルから情報を読み取る。前記ＲＦＩＤリーダライタ２４は、前記薬品包装装置２０の所定位置に内蔵されており、前記所定位置に前記薬剤シート３０が載置されたときに前記ＲＦＩＤタグ３１に対して情報を読み書きするために用いられる。
【００５０】
［薬品秤量処理］
以下、図５のフローチャートを参照しつつ、前記薬品秤量装置１０において前記制御部１１が前記薬品秤量プログラムに従って実行する薬品秤量処理の手順の一例について説明する。ここに、図示するＳ１、Ｓ２、…は前記制御部１１が実行する処理手順（ステップ）番号を示す。当該薬品秤量処理を実行するときの前記制御部１１が本発明に係る制御手段に相当する。
【００５１】
当該薬品秤量処理は、前記薬品秤量装置１０の電源投入時に前記制御部１１によって実行される処理である。ここでは、処方箋に、処方箋交付年月日、患者ＩＤ、患者名、患者生年月日、剤形情報（内服、外用など）、薬品情報（薬品コード、薬品名、用量）、用法情報（１日３回毎食後など）などが、これらの情報を示す二次元コードと共に記録されている場合を例に挙げて説明する。また、前記処方薬品名には、薬品Ａ、薬品Ｂ、薬品Ｃの三種類の薬品が含まれているものとする。
【００５２】
＜ステップＳ１＞
まず、ステップＳ１において、前記制御部１１は、処方箋情報の読み取りを待ち受ける（Ｓ１のＮｏ側）。具体的に、前記制御部１１は、前記バーコードリーダー１７により処方箋に記録された二次元コードが読み取られた場合に、前記処方箋情報が読み取られたと判断する。そして、ユーザーが処方箋の二次元コードを前記バーコードリーダー１７にかざすことにより、前記バーコードリーダー１７によって前記二次元コードが読み取られると（Ｓ１のＹｅｓ側）、前記制御部１１は処理をステップＳ２に移行させる。ここで、前記二次元コードから読み取られる前記処方箋情報には、処方箋交付年月日、患者ＩＤ、患者名、患者生年月日、剤形情報（内服、外用など）、薬品情報（薬品コード、薬品名、用量）、用法情報（１日３回毎食後など）などの前記処方箋に記録された情報が含まれている。
【００５３】
なお、前記バーコードリーダー１７は、例えば前記薬品秤量装置１０の電源がＯＮである場合に常に読み取り可能な状態である。また、前記制御部１１が、前記タッチパネル１３に対する秤量開始の操作入力に応じて前記バーコードリーダー１７を一定期間だけ読み取り可能な状態に移行させることも考えられる。
【００５４】
＜ステップＳ２＞
ステップＳ２において、前記制御部１１は、前記ステップＳ１で読み取られた処方箋情報に基づいて処方画面４０を前記タッチパネル１３に表示させる。ここに、図６（Ａ）及び図６（Ｂ）はそれぞれ前記処方画面４０の一例を示している。
【００５５】
図６（Ａ）に示す前記処方画面４０では、調剤者名、患者名、年齢、体重、処方日数、分数、薬品名、剤形（散／錠）、処方量などが表示されている。具体的に、図６（Ａ）に示す処方画面４０では、薬品表示部４０１に薬品Ａ、薬品Ｂ、薬品Ｃが処方薬品名として表示されている。また、前記処方画面４０では、前記薬品Ａは剤形が「散薬」、処方量が「０．９ｇ」であり、前記薬品Ｂは剤形が「散薬」、処方量が「１．２ｇ」であり、前記薬品Ｃは剤形が「散薬」、処方量が「０．６ｇ」であることが表示されている。以下、このように薬品名等を表示する表示モードを薬品名表示モードと称する。
【００５６】
一方、図６（Ｂ）に示す前記処方画面４０では、調剤者名、患者名、年齢、体重、処方日数、分数などが表示されているが、この時点では前記薬品表示部４０１に薬品名等が表示されていない。以下、このように薬品名等を表示しない表示モードを薬品名非表示モードと称する。前記薬品名非表示モードは、前記処方画面４０に薬品名等を表示させないことにより、調剤者に対して確実に紙の処方箋を見ながら調剤業務を行わせるための表示モードである。これにより、前記薬品名非表示モードでは、前記二次元コードから読み取られた処方箋情報が何らかの原因によって処方箋の記録内容と異なるものになっていた場合に、その不具合を調剤者に認識させることができる。特に、処方箋に任意に記録された注意情報などのコメントは前記二次元コードには含まれていないことがあり、このように二次元コードに含まれない情報が処方箋に記録される運用では、調剤者が確実に処方箋を見る必要のある前記薬品名非表示モードが好適である。
【００５７】
前記薬品秤量装置１０では、前記制御部１１が、前記タッチパネル１３の操作に応じて前記薬品秤量プログラムに関する初期設定画面を表示させ、その初期設定画面に従った操作に応じて前記薬品名表示モード又は前記薬品名非表示モードを切り替える。
【００５８】
＜ステップＳ３＞
次にステップＳ３において、前記制御部１１は、収容薬品名の読み取りを待ち受ける（Ｓ３のＮｏ側）。具体的に、前記制御部１１は、前記バーコードリーダー１７により薬瓶に記録されたＪＡＮコード又は薬瓶コードにより示された収容薬品情報が読み取られた場合に、前記収容薬品名が読み取られたと判断する。そして、ユーザーが薬瓶のＪＡＮコード又は薬瓶コードを前記バーコードリーダー１７にかざすことにより、前記バーコードリーダー１７によって前記ＪＡＮコード又は薬瓶コードが読み取られると（Ｓ３のＹｅｓ側）、前記制御部１１は処理をステップＳ４に移行させる。
【００５９】
即ち、前記薬品秤量処理では、まず前記処方箋情報が読み取られた後、前記収容薬品名が読み取られる。そのため、先に前記収容薬品名が読み取られた場合には前記薬品秤量装置１０の秤量は開始されない。なお、前記制御部１１が、先に収容薬品名が読み取られて秤量が行われた場合にその秤量結果を記憶しておき、その後に処方箋情報が読み取られたときに、その処方箋情報と前記秤量結果とを照合することも他の実施形態として考えられる。
【００６０】
＜ステップＳ４＞
そして、ステップＳ４において、前記制御部１１は、前記ステップＳ３で読み取られた収容薬品情報の収容薬品名と前記ステップＳ１で読み取られた処方箋情報の収容薬品名との照合結果に応じて処理を分岐する。具体的に、前記制御部１１は、当該ステップＳ４において、前記収容薬品名が前記処方薬品名のいずれかに該当するか否かを判断する。
【００６１】
ここで、前記収容薬品名が前記処方薬品名のいずれかに該当すれば（Ｓ４のＹｅｓ側）、処理はステップＳ５に移行し、前記収容薬品名が前記処方薬品名のいずれにも該当しなければ（Ｓ４のＮｏ側）、処理はステップＳ１３に移行する。
【００６２】
＜ステップＳ５＞
ステップＳ５において、前記制御部１１は、前記処方箋情報に含まれた処方薬品名のうち前記収容薬品名と一致する処方薬品名を秤量対象として選択する。即ち、前記収容薬品名が前記処方薬品名のいずれかに該当する場合には、前記処方箋情報に含まれた処方薬品名のうち秤量対象となる処方薬品名が自動的に選択される。
【００６３】
そのため、ユーザーは、薬瓶に記録されたＪＡＮコード又は薬瓶コードを前記バーコードリーダー１７に読み取らせる作業のみにより、前記薬品秤量装置１０において、前記収容薬品名及び前記処方薬品名の照合と、秤量対象の薬品の選択とを実現することができる。従って、前記処方箋情報に複数の処方薬品名が含まれている場合に、秤量対象となる処方薬品名を選択するための操作を省略することができ、医師又は薬剤師などのユーザーによる調剤効率を高めることができる。
【００６４】
＜ステップＳ６＞
ステップＳ６において、前記制御部１１は、前記処方箋情報から前記収容薬品名に対応する処方薬品名の薬品を秤量するための秤量画面４１を前記タッチパネル１３に表示させる。このとき、前記制御部１１は、前記天秤ユニット１２による薬品の秤量値及び前記処方薬品名の薬品の秤量の目標値を前記秤量画面４１上に表示させる。
【００６５】
ここに、図７は、前記秤量画面４１の一例を示している。図７に示す前記秤量画面４１は、前記ステップＳ３において前記薬品Ａが読み取られた場合に表示されるものであり、処方薬品名である「薬品Ａ」、処方量である目標値「０．９ｇ」、及び前記天秤ユニット１２による実際の秤量値「０．０ｇ」などを表示している。
【００６６】
また、図７に示す前記秤量画面４１には、当該処方薬品名に関する秤量を完了するために操作される決定キー４１１が表示されている。ここに、前記タッチパネル１３上に具現された前記決定キー４１１は前記処方薬品名ごとの秤量の完了を入力するための操作部であり、本発明に係る第１入力手段の一例である。
【００６７】
ここに、図１６は、前記秤量画面４１の他の例である秤量画面Ｐ１６を示す図である。図１６に示す前記秤量画面Ｐ１６において、前記制御部１１は、前記ＲＦＩＤリーダライタ１４により前記ＲＦＩＤタグ３１が検知され、前記ＲＦＩＤタグ３１への情報記録が可能である場合にその旨がイメージ又は文字などで示される検知表示部Ｐ１６１を表示させる。これにより、ユーザーは、前記ＲＦＩＤリーダライタ１４により前記ＲＦＩＤタグ３１に情報を書き込み可能な状態であることを前記検知表示部Ｐ１６１の表示によって容易に確認することができる。なお、前記制御部１１は、前記ＲＦＩＤリーダライタ１４により前記ＲＦＩＤタグ３１が検知されていない場合には、前記検知表示部Ｐ１６１を非表示にする。また、前記制御部１１は、本来前記ＲＦＩＤタグ３１に対する情報の書き込みが実行されるタイミングで、前記ＲＦＩＤタグ３１への書き込みができない旨を前記タッチパネル１３に表示させることが考えられる。なお、前記秤量画面Ｐ１６には、前記薬品秤量装置１０における秤量状態として、秤量対象の薬品名、常用量、目標量、現在の秤量値などの情報が表示されると共に、前記目標量に対する前記現在の秤量値をイメージで示すバロメータ表示部Ｐ１６２が表示されている。
【００６８】
＜ステップＳ７＞
そして、ステップＳ７において、前記制御部１１は、当該処方薬品名の秤量の完了を待ち受ける（Ｓ７のＮｏ側）。具体的に、前記制御部１１は、図７に示すように前記秤量画面４１に表示された前記決定キー４１１が操作されることにより、当該処方薬品名の秤量の完了と判断する。そして、前記制御部１１は、当該処方薬品名の秤量完了と判断すると（Ｓ７のＹｅｓ側）、処理をステップＳ８に移行させる。なお、前記制御部１１は、当該処方薬品名の秤量が完了した場合にその旨をＲＡＭなどに記憶させる。
【００６９】
また、前記ステップＳ７において、前記制御部１１が、前記天秤ユニット１２による秤量値が所定時間（例えば１秒）継続して安定した状態で前記薬剤シート３０が持ち上げられた場合に、当該処方薬品名の秤量が完了したと判断することも考えられる。なお、前記天秤ユニット１２による秤量値が前記所定時間継続して安定した場合には図７に示す秤量画面において「→」が表示される。例えば、前記制御部１１は、前記薬剤シート３０が持ち上げられたことを、前記天秤ユニット１２による秤量値が瞬時に０になったことを条件に判断することができる。但し、前記薬剤シート３０が持ち上げられると、後述のステップＳ９における前記ＲＦＩＤタグ３１への情報の記録ができなくなる。そのため、前記制御部１１は、前記天秤ユニット１２による秤量値が前記所定時間継続して安定する度に前記ＲＦＩＤタグ３１への情報の記録（Ｓ９）を随時実行することが考えられる。これにより、前記薬剤シード３０が持ち上げられたときには前記ＲＦＩＤタグ３１に最終的な秤量値が記録されていることとなる。なお、前記ＲＦＩＤタグ３１への情報の書き込み手法として、前記薬剤シート３０が前記薬品秤量装置１０に載置されたときに前記天秤ユニット１２による秤量値を除く情報を書き込み、その後は、前記秤量値のみを随時更新することが考えられる。これにより、前記秤量値が所定時間安定してから前記薬剤シート３０が持ち上げられるまでの時間が短時間であっても、その短時間で前記秤量値を最新の情報に更新することが可能となる。
【００７０】
＜ステップＳ８＞
ステップＳ８において、前記制御部１１は、前記処方箋情報における処方薬品名の秤量経過を示す経過画面４２を前記タッチパネル１３に表示させる。ここに、図８（Ａ）、図８（Ｂ）はそれぞれ前記経過画面４２の一例を示すものである。
【００７１】
図８（Ａ）は、前記薬品名表示モードにおいて、前記薬品Ａの秤量が完了した場合に表示される前記経過画面４２の一例を示している。図８（Ａ）に示す前記経過画面４２では、前記薬品名表示部４０１に表示された薬品名のうち既に秤量が完了した薬品名が他と異なる色又はハイライトで表示されている。
【００７２】
図８（Ｂ）は、前記薬品名非表示モードにおいて、前記薬品Ａの秤量が完了した場合に表示される前記経過画面４２の一例を示している。図８（Ｂ）に示す前記経過画面４２では、既に秤量が完了した薬品名のみが表示されている。
【００７３】
また、図８（Ａ）及び図８（Ｂ）に示す前記経過画面４２には、当該処方箋情報に関する秤量を完了するために操作される完了キー４２１が表示されている。ここに、前記タッチパネル１３上に具現された前記完了キー４２１は前記処方箋情報ごとの秤量の完了を入力するための操作部であり、本発明に係る第２入力手段の一例である。
【００７４】
＜ステップＳ９＞
また、ステップＳ９において、前記制御部１１は、前記ＲＦＩＤリーダライタ１４により前記処方箋情報及び前記秤量結果（秤量薬品情報の一例）を前記ＲＦＩＤタグ３１に書き込む。ここに、係る処理を実行するときの前記制御部１１が記録手段に相当する。
【００７５】
例えば、前記処方箋情報には、処方箋交付年月日、患者ＩＤ、患者名、患者生年月日、剤形情報（内服、外用など）、薬品情報（薬品コード、薬品名、用量）、用法情報（１日３回毎食後など）などの前記処方箋に記録された情報が含まれている。また、前記秤量結果には、秤量対象の薬品名、秤量目標値、実際の秤量値、前記処方薬品名と前記収容薬品名との照合結果などが含まれる。また、前記処方箋情報に含まれた処方薬品名を後発医薬品名に置き換えて秤量した場合には、その旨の情報も前記秤量結果に含まれる。
【００７６】
なお、前記ステップＳ９において前記制御部１１は、前記処方箋情報の一部だけを前記ＲＦＩＤタグ３１に記録させることも考えられる。例えば、前記ＲＦＩＤタグ３１として記憶容量の小さいものを用いる場合には、前記処方箋情報及び前記秤量結果の全ての情報を記録することができない。そこで、この場合には、前記制御部１１は、前記ＲＦＩＤタグ３１に少なくとも秤量対象の薬品名を記憶させればよい。これにより、後述するように、前記薬品包装装置２０におけるホッパーの間違いを防止することができる。この場合には、前記薬品秤量装置１０と前記薬品包装装置２０とがＬＡＮ又はインターネット等の通信ネットワークで通信可能に接続されており、前記制御部１１が、前記ＲＦＩＤ３１に記録されない情報を前記薬品包装装置２０に送信することが考えられる。
【００７７】
また、前記薬品秤量装置１０及び前記薬品包装装置２０が前記通信ネットワークで接続された構成では、前記薬品秤量装置１０内で前記処方箋情報及び前記秤量結果と対応付けて記憶された簡易な固定情報（情報の識別番号など）を前記ＲＦＩＤタグ３１に記録させることも考えられる。この場合には、前記固定情報が前記薬品包装装置２０で読み取られたときに、前記薬品包装装置２０から前記薬品秤量装置１０に対して前記固定情報に対応する前記処方箋情報及び前記秤量結果の送信要求が行われる。これにより、前記薬品秤量装置１０から前記薬品包装装置２０に前記通信ネットワークを介して前記固定情報に対応する前記処方箋情報及び前記秤量結果が送信される。
【００７８】
なお、前記ステップ８及び前記ステップＳ９の処理手順は実行順序が逆であっても、或いは略並行して実行されてもよい。即ち、前記ステップＳ７で秤量完了と判断された直後に前記ステップＳ９における前記ＲＦＩＤタグ３１への前記処方箋情報及び前記秤量結果の記録が行われてもよい。
【００７９】
＜ステップＳ１０＞
その後、ステップＳ１０において、前記制御部１１は、前記バーコードリーダー１７によって次の収容薬品名が読み取られたか否かを判断する。ここで、前記制御部１１は、次の収容薬品名が読み取られたと判断すると（Ｓ１０のＹｅｓ側）、処理を前記ステップＳ４に移行させる。一方、前記制御部１１は、次の収容薬品名が読み取られない場合は（Ｓ１０のＮｏ側）、処理をステップＳ１１に移行させる。
【００８０】
＜ステップＳ１１＞
ステップＳ１１において、前記制御部１１は、当該処方箋情報に対応する秤量が全て完了したか否かを判断する。具体的に、前記制御部１１は、図８（Ａ）、（Ｂ）に示すように前記経過画面４２に表示された前記完了キー４２１が操作された場合、又は当該処方箋情報に含まれた全ての秤量対象薬品の秤量が完了した場合に、当該処方箋情報に関する秤量が全て完了したと判断する。
【００８１】
そして、前記制御部１１は、当該処方箋情報に関する秤量が全て完了したと判断すると（Ｓ１１のＹｅｓ側）、処理をステップＳ１２に移行させる。一方、前記制御部１１は、当該処方箋情報に関する秤量が全て完了していない場合は（Ｓ１１のＮｏ側）、処理を前記ステップＳ１０に移行させる。
【００８２】
ところで、前記完了キー４２１が操作されたとき、当該処方箋情報に含まれた処方薬品名に秤量が未完了の処方薬品名が存在する場合には、ユーザーが秤量を忘れているおそれがある。そこで、前記制御部１１は、前記ステップＳ１１において前記完了キー４２１の操作がなされたと判断した時点で、前記完了キー４２１の操作により秤量の完了が入力された前記処方箋情報に含まれている前記処方薬品名の中に前記決定キー４１１により秤量の完了が入力されていない処方薬品名が存在する場合は、その旨を前記タッチパネル１３に表示することが考えられる。これにより、ユーザーに対して秤量忘れを警告することができる。なお、前記制御部１１は、前記処方薬品名各々の秤量の完了の有無を、前記ステップ７で前記ＲＡＭに記憶された情報に従って判断する。ここに、係る表示処理を実行するときの前記制御部１１が未完了表示手段に相当する。また、前記制御部１１は、前記表示を、文字、画像、音声、又は光により表示されるものであってよい。
【００８３】
但し、前記処方箋情報に、前記薬品秤量装置１０による秤量対象とならない外用薬、水剤、錠剤、ヒート剤（所定量の散薬又は錠剤を包装したもの）などの薬品が含まれる場合も考えられる。この場合、前記薬品秤量装置１０の秤量対象外の薬品の秤量が未完了であることが正常となるため、ユーザーに対して秤量忘れを警告しない。但し、必要に応じて、前記薬品秤量装置１０の秤量対象外の薬品についても秤量忘れの警告を表示させることが考えられる。これにより、ユーザーの秤量忘れを確実に防止することができる。
【００８４】
例えば、前記制御部１１が、当該処方箋情報に含まれた処方薬品名に秤量が未完了の処方薬品名が存在する場合、その処方薬品名が散薬である場合にのみ前記警告表示を行うことが考えられる。散薬は、前記薬品秤量装置１０による秤量対象である可能性が高く、ユーザーが秤量を忘れている可能性が高いためである。
【００８５】
さらに、前記薬品秤量装置１０による秤量対象外の薬品種別などを前記データ記憶部１５などに予め記憶させておくことが考えられる。例えば、前記ヒート剤が秤量対象外の薬品種別として記憶されることが考えられる。これにより、前記制御部１１は、前記秤量対象外の薬品種別に該当する処方薬品名に関する秤量が未完了の場合には前記警告表示を行わないことが可能となる。これにより、必要な場合にのみ警告表示を行い、不要な警告表示を防止することができる。もちろん、前記薬品秤量装置１０による秤量対象外の薬品種別に代えて秤量対象の薬品種別が前記データ記憶部１５に予め記憶された構成も考えられる。
【００８６】
ここで、これらの秤量忘れの警告表示の手法は、前記制御部１１により表示される前記薬品秤量プログラムに関する初期設定画面に従った前記タッチパネル１３の操作入力に応じて任意に切り替え可能であることが考えられる。
【００８７】
また、前記制御部１１が、前記ステップＳ１１において、当該処方箋情報に関する秤量の完了を自動的に判断することも考えられる。これにより、ユーザーが前記完了キー４２１を操作する手間を省略することができる。
【００８８】
例えば、前記制御部１１が、次の処方箋情報の読み取りが行われたことを条件に、前の処方箋情報に関する秤量が完了したと判断することが考えられる。即ち、前記制御部１１は、前記バーコードリーダー１７によって処方箋の二次元コードが読み込まれたことを条件に、一つ前に読み取られた処方箋情報に関する秤量が完了したと判断する。
【００８９】
また、前記制御部１１が、当該処方箋情報に含まれた全ての処方薬品名の秤量が完了したと判断されたことを条件に、当該処方箋情報に関する秤量が完了したと判断することも考えられる。これにより、当該処方箋情報に含まれた全ての処方薬品名が前記薬品秤量装置１０による秤量対象の薬品であれば、当該処方箋情報に対応する秤量が完了したことを自動的に判断することが可能である。
【００９０】
一方、前記処方箋情報に、前記薬品秤量装置１０の秤量対象外の薬品が含まれる場合には、前記処方箋情報に関する秤量が完了したか否かを判断することができない。そこで、前記データ記憶部１５などに前記薬品秤量装置１０による秤量対象外の薬品種別などを記憶させておくことが考えられる。これにより、前記制御部１１が、前記ステップＳ１１において、当該処方箋情報に含まれた処方薬品名のうち前記秤量対象外の薬品種別に該当しない処方薬品名の秤量が完了したことを条件に当該処方箋情報に対応する秤量が完了したと判断することができる。もちろん、前記薬品秤量装置１０の秤量対象外の薬品種別に代えて秤量対象の薬品種別が前記データ記憶部１５に予め記憶された構成も考えられる。
【００９１】
＜ステップＳ１２＞
そして、当該処方箋情報に関する秤量が全て完了すると、続くステップＳ１２において、前記制御部１１は、前記プリンター１８により前記処方箋情報及び前記秤量結果を印刷させる。このとき、前記制御部１１は、前記処方箋情報及び前記秤量結果のうち予め設定された情報のみを予め設定されたレイアウトに従って印刷させる。
【００９２】
具体的には、前記ステップＳ１で読み取られた処方箋情報に含まれた患者名、秤量対象の薬品名、秤量目標値、及び前記薬品秤量装置１０における実際の秤量値、前記処方薬品名と前記収容薬品名との照合結果、秤量時間、秤量作業者などが印刷される。即ち、前記制御部１１は、前記薬品秤量装置１０において秤量された薬品に関する記録のみを前記プリンター１８で印刷させる。前記薬品秤量装置１０では、前記ＲＦＩＤタグ３１に前記処方箋情報及び前記秤量結果が記録されるため、処方薬品が秤量される度に前記プリンター１８による印刷を行う必要はなく、前記処方箋情報に関する秤量が完了した時点で秤量結果を印刷すればよい。もちろん、前記制御部１１が、処方薬品が秤量される度にその秤量結果を前記プリンター１８で印刷させることも他の実施形態として考えられる。
【００９３】
＜ステップＳ１３＞
他方、前記ステップＳ４において、前記ステップＳ３で読み取られた収容薬品名が前記処方薬品名のいずれにも該当しない場合（Ｓ４のＮｏ側）、前記制御部１１は、ステップＳ１３以降の処理を実行する。
【００９４】
まず、ステップＳ１３において、前記制御部１１は、前記収容薬品名が前記データ記憶部１５に記憶された前記医薬品マスターに登録されているか否かを判断する。ここで、前記収容薬品名が前記医薬品マスターに登録されていると判断した場合（Ｓ１３のＹｅｓ側）、前記制御部１１は処理をステップＳ１４に移行させる。一方、前記収容薬品名が前記医薬品マスターに登録されていないと判断した場合（Ｓ１３のＮｏ側）、前記制御部１１は処理をステップＳ１５に移行させる。
【００９５】
＜ステップＳ１４＞
ステップＳ１４において、前記制御部１１は、図９（Ａ）に示すように、薬品が違う旨を示す警告画面４３を前記タッチパネル１３に表示させ、処理を前記ステップＳ３に戻す。これにより、ユーザーに薬瓶の選択が誤りであることを警告することができ、誤った薬品の処方を防止することができる。なお、前記警告は、前記タッチパネル１３における文字や画像の表示に限らない。例えば、前記薬品秤量装置１０がスピーカーを有しており、前記制御部１１が前記スピーカーによって音声で薬品が違う旨を表示させてもよい。また、前記薬品秤量装置１０が警告表示用のＬＥＤを有しており、前記制御部１１が前記ＬＥＤの点灯又は点滅によって光で薬品が違う旨を表示させてもよい。
【００９６】
＜ステップＳ１５＞
ステップＳ１５において、前記制御部１１は、前記収容薬品名が前記データ記憶部１５に記憶された前記後発医薬品マスターの後発医薬品名のいずれかに該当するか否かを判断する。ここで、前記収容薬品名が前記後発医薬品名のいずれかに該当すると判断した場合（Ｓ１５のＹｅｓ側）、前記制御部１１は処理をステップＳ１６に移行させる。一方、前記収容薬品名が前記後発医薬品名のいずれにも該当しないと判断した場合（Ｓ１５のＮｏ側）、前記制御部１１は処理をステップＳ１９に移行させる。
【００９７】
＜ステップＳ１６＞
ステップＳ１６において、前記制御部１１は、前記収容薬品名と一致した前記後発医薬品名に対応する前記先発医薬品名が前記処方薬品名のいずれかに該当するか否かを判断する。即ち、当該ステップＳ１６において、前記制御部１１は、前記収容薬品名の薬品が前記処方薬品名の薬品に対応する後発医薬品であるか否かを判断している。
【００９８】
ここで、前記先発医薬品名が前記処方薬品名のいずれかに該当すると判断した場合（Ｓ１６のＹｅｓ側）、前記制御部１１は処理をステップＳ１７に移行させる。一方前記先発医薬品名が前記処方薬品名のいずれにも該当しないと判断した場合（Ｓ１６のＮｏ側）、前記制御部１１は処理をステップＳ１９に移行させる。
【００９９】
なお、前記処方箋に処方薬品名として前記後発医薬品名が記録されることも考えられる。そのため、前記ステップＳ１５において、前記収容薬品名が前記先発医薬品名又は前記後発医薬品名のいずれかに該当するか否かを判断し、前記ステップＳ１６において、その該当する先発医薬品名又は後発医薬品名に対応する後発医薬品名又は先発医薬品名が前記処方薬品名のいずれかに該当するか否かを判断することも他の実施形態として考えられる。
【０１００】
＜ステップＳ１７＞
ステップＳ１７において、前記制御部１１は、前記後発医薬品名の薬品を使用する旨の確認画面４４を表示させる。ここに、図９（Ｂ）は、前記確認画面４４の一例を示している。図９（Ｂ）に示すように、前記確認画面４４には、収容薬品名の薬品が後発医薬品である旨と、その後発医薬品の使用を承認するか否かの問い合わせとが表示されている。また、前記確認画面４４には、後発医薬品の使用を承認する場合に操作される承認キー４４１と、後発医薬品の使用を承認しない場合に操作されるキャンセルキー４４２とが表示されている。
【０１０１】
＜ステップＳ１８＞
そして、ステップＳ１８において、前記制御部１１は、後発医薬品の使用が承認されたか否かを判断する。具体的に、前記制御部１１は、前記ステップＳ１８において、前記承認キー４４１又は前記キャンセルキー４４２のいずれが選択されたかを判断する。
【０１０２】
ここで、前記キャンセルキー４４２が操作されると、前記制御部１１は、後発医薬品の使用が承認されなかったと判断し（Ｓ１８のＮｏ側）、処理を前記ステップＳ３に移行させる。
【０１０３】
また、前記承認キー４４１が操作されると、前記制御部１１は、後発医薬品の使用が承認されたと判断し（Ｓ１８のＹｅｓ側）、処理を前記ステップＳ５に移行させる。これにより、前記制御部１１は、前記ステップＳ５において、前記処方箋情報に含まれた処方薬品名のうち前記後発医薬品名に対応する前記処方薬品名を秤量対象として選択し、前記ステップＳ６において、前記後発医薬品名及びその秤量目標値が示された前記秤量画面４１を前記タッチパネル１３に表示させる。なお、前記先発医薬品名に対する処方量と同様の薬効を生じさせるための前記後発医薬品名の処方量が異なる場合、前記制御部１１は、前記後発医薬品マスターに基づいて前記先発医薬品名の処方量に対応する前記後発医薬品名の処方量を前記秤量目標値として算出することが考えられる。
【０１０４】
＜ステップＳ１９＞
一方、前記収容薬品名が前記処方薬品名及び前記後発医薬品名のいずれにも該当しない場合（Ｓ４のＮｏ側、Ｓ１５のＮｏ側）、前記制御部１１は、ステップＳ１９以降の処理を実行する。また、前記収容薬品名と一致する前記後発医薬品名に対応する先発医薬品名が前記処方薬品名のいずれにも該当しない場合にも（Ｓ１６のＮｏ側）、前記制御部１１は、ステップＳ１９以降の処理を実行する。
【０１０５】
ステップＳ１９において、前記制御部１１は、薬品が違う旨を示す警告画面４５を前記タッチパネル１３に表示させる。これにより、ユーザーに薬瓶の選択が誤りであることを警告することができ、誤った薬品の処方を防止することができる。なお、前記警告は、前記タッチパネル１３における文字や画像の表示に限らない。例えば、前記薬品秤量装置１０がスピーカーを有しており、前記制御部１１が前記スピーカーによって音声で薬品が違う旨を表示させてもよい。また、前記薬品秤量装置１０が警告表示用のＬＥＤを有しており、前記制御部１１が前記ＬＥＤの点灯又は点滅によって光で薬品が違う旨を表示させてもよい。
【０１０６】
ここに、図９（Ｃ）は、前記警告画面４５の一例を示している。図９（Ｃ）に示すように、前記警告画面４５には、薬品が違う旨と後発医薬品名を登録するか否かの問い合わせとが表示されている。また、前記警告画面４５には、後発医薬品登録を行う場合に操作される後発医薬品登録キー４５１と、後発医薬品登録を行わない場合に操作されるキャンセルキー４５２とが表示されている。
【０１０７】
＜ステップＳ２０＞
そして、ステップＳ２０において、前記制御部１１は、前記後発医薬品登録を行う旨の操作がなされたか否かを判断する。具体的に、前記制御部１１は、前記ステップＳ２０において、前記後発医薬品登録キー４５１又は前記キャンセルキー４５２のいずれが選択されたかを判断する。
【０１０８】
ここで、前記キャンセルキー４５２が操作されると、前記制御部１１は、前記後発医薬品登録を行わないと判断し（Ｓ２０のＮｏ側）、処理を前記ステップＳ３に移行させる。また、前記後発医薬品登録キー４５１が操作されると、前記制御部１１は、前記後発医薬品登録を行うと判断し（Ｓ２０のＹｅｓ側）、処理をステップＳ２１に移行させる。
【０１０９】
＜ステップＳ２１＞
そして、ステップＳ２１において、前記制御部１１は、前記後発医薬品マスターを編集するための処理を実行する。例えば、前記制御部１１は、前記後発医薬品名を前記後発医薬品マスターに登録するための登録画面５１を前記タッチパネル１３に表示させ、前記登録画面５１の表示に従った操作入力に応じて前記後発医薬品名を登録する。また、前記制御部１１は、既に登録された前記後発医薬品マスターにおける前記先発医薬品名と前記後発医薬品名との対応関係を前記タッチパネル１３のユーザーによる操作入力に応じて修正する。
【０１１０】
ここに、図１０（Ａ）、（Ｂ）は、前記登録画面５１の一例を示している。図１０（Ａ）に示すように、前記登録画面５１の初期画面では、薬品コード、薬品名、区分、比重、薬品種、配合変化、賦形薬品、単位、秤量などの項目が設定可能である。そして、前記制御部１１は、登録キー５１１の操作に応じて前記後発医薬品名を前記後発医薬品マスターに登録し、戻るキー５１２の操作に応じて前記登録画面５１を閉じる。また、前記制御部１１は、前頁キー５１３又は次頁キー５１４の操作に応じて前記登録画面５１の表示内容を切り替える。具体的に、前記次頁キー５１４が操作されると、前記制御部１１は、図１０（Ｂ）に示すように、前記登録画面５１における設定項目を、先発医薬品名、ＪＡＮコード、薬瓶コードに変更する。また、図１０（Ｂ）には、ＪＡＮ取込キー５１５及び常用量キー５１６が表示されている。前記制御部１１は、前記ＪＡＮ取込キー５１５の操作に応じて前記バーコードリーダー１７により薬瓶に付されたバーコードからＪＡＮコードを取り込む。また、前記制御部１１は、前記常用量キー５１６の操作に応じて前記後発医薬品名に対応する常用量を設定するための常用量設定画面を開き、その常用量設定画面の入力に応じて常用量を設定する。なお、常用量とは、薬が最も普通に使われた時に治療効果の期待できる量である。
【０１１１】
その後、前記制御部１１は、処理を前記ステップＳ１５に移行させる。即ち、ユーザーは、当該処方箋情報に関する秤量作業を一時中断して前記後発医薬品マスターを編集した後、そのまま当該処方箋情報に関する秤量作業を再開することができる。従って、ユーザーは、前記薬品秤量装置１０を使用する日々の運用の中で前記後発医薬品マスターを適宜編集してその内容を充実させることができる。これに対し、当該処方箋情報に基づく秤量作業（薬品秤量処理）を一旦終了させ、初期設定画面などで前記後発医薬品マスターを編集する場合には、その後、当該処方箋情報に基づく秤量作業（薬品秤量処理）を初めから再度行う必要があり、ユーザーは煩雑な作業を強いられる。
【０１１２】
以上説明したように、前記薬品秤量装置１０を用いるユーザーは、処方箋の二次元コード及び薬瓶のバーコードを前記バーコードリーダー１７に順次読み取らせることにより正確且つ簡単に前記処方箋に従った薬品の秤量を行うことができる。
【０１１３】
特に、ユーザーが、薬瓶のバーコードを前記バーコードリーダー１７に読み取らせることにより、前記薬品秤量装置１０では収容薬品名及び処方薬品名の照合が行われると共に、これから秤量を開始する秤量対象の処方薬品名が選択される。従って、ユーザーは、処方箋に複数の処方薬品名が記録されている場合に、秤量対象の処方薬品名を選択する操作の手間を省くことができる。
【０１１４】
［薬品包装処理］
続いて、図１１のフローチャートを参照しつつ、前記制御部２１が前記薬品包装プログラムに従って実行する薬品包装処理の手順の一例について説明する。ここに、図示するＳ３１、Ｓ３２、…は前記制御部２１が実行する処理手順（ステップ）番号を示す。
【０１１５】
＜ステップＳ３１＞
まず、ステップＳ３１において、前記制御部２１は、処方箋情報の入力の有無を判断する。具体的に、前記制御部２１は、前記ＲＦＩＤリーダライタ２４により前記ＲＦＩＤタグ３１から処方箋情報が読み取られたか否かを判断する。このように、前記薬品秤量システム１では、前記薬品包装装置２０において前記ＲＦＩＤタグ３１から前記処方箋情報を読み取り可能であるため、前記薬品包装装置２０を調剤支援システムなどの上位システムに通信可能に接続する必要がない。また、前記薬品包装装置２０では、前記ＲＦＩＤタグ３１から処方箋情報が取得されるため、ユーザーによって従来行われていた前記薬品包装装置２０における処方箋情報の入力作業及び前記薬品包装装置２０を作動させるためのオペレーション作業を軽減することができる。
【０１１６】
但し、前記薬品包装装置２０が前記上位システムに通信可能に接続されていることも他の実施形態として考えられる。この場合、前記制御部２１は、前記ステップＳ３１において、前記上位システムから前記処方箋情報が入力されたか否かを判断する。さらに、前記制御部２１が処方箋に記録された二次元コードから処方箋情報を読み取るバーコードリーダーを備える構成も他の実施形態として考えられる。この場合、前記制御部２１は、前記ステップＳ３１において、前記二次元コードが読み取られたか否かを判断する。もちろん、前記薬品包装装置２０が前記処方箋情報をこれらの異なる手法で入力する複数の入力機能を有しており、その入力機能のいずれかを予め選択可能な構成も考えられる。
【０１１７】
ここで、前記制御部２１は、前記処方箋情報が入力されたと判断した場合は（Ｓ３１のＹｅｓ側）、処理をステップＳ３２に移行させ、前記処方箋情報が入力されていないと判断した場合は（Ｓ３１のＮｏ側）、処理をステップＳ３３に移行させる。
【０１１８】
＜ステップＳ３２＞
ステップＳ３２において、前記制御部２１は、前記ステップＳ３１で読み取られた処方箋情報に関する薬品の包装で前記ホッパー２５Ａ又は前記ホッパー２５Ｂのいずれを使用するかを選択する。
【０１１９】
例えば、患者Ｃ１に処方する薬品が記載された処方箋情報が入力された場合はその薬品の包装に前記ホッパー２５Ａが使用され、患者Ｃ２に処方する薬品が記載された処方箋情報が入力された場合はその薬品の包装に前記ホッパー２５Ｂが使用されることが予め定められており、その旨を示す割当情報が前記処方箋情報に含まれていることが考えられる。この場合、前記ステップＳ３２において、前記制御部２１は、前記処方箋情報に含まれた前記割当情報に応じて前記ホッパー２５Ａ又は前記ホッパー２５Ｂのいずれを使用するかを判断することができる。
【０１２０】
また、前記ＲＦＩＤタグ３１から前記処方箋情報が読み取られるごとに、前記制御部２１が、前記ステップＳ３２において前記処方箋情報ごとに前記ホッパー２５Ａ及び前記ホッパー２５Ｂのいずれを使用するかを自動的に割り当てることも考えられる。例えば、前記制御部２１は、前記処方箋情報が入力されるごとに前記ホッパー２５Ａ及び前記ホッパー２５Ｂを交互に使用するように選択することが考えられる。
【０１２１】
このように構成された前記薬品包装装置２０では、ユーザーは、前記処方箋情報ごとに前記ホッパー２５Ａ及び前記ホッパー２５Ｂを使い分けて薬品を投入することができるため、複数の患者の処方箋情報に関する調剤作業を並行して進めることができる。
【０１２２】
但し、複数の患者の処方箋情報に関する調剤作業を並行して進めると、ユーザーが本来とは逆の前記ホッパー２５Ａ又は前記ホッパー２５Ｂに薬品を投入してしまうおそれがある。そこで、当該薬品包装処理では、以下のステップＳ３３以下の処理によりユーザーによる薬品の投入先の判断ミスを防止している。
【０１２３】
＜ステップＳ３３＞
ステップＳ３３において、前記制御部２１は、前記ＲＦＩＤタグ３１から前記薬剤シート３０に載置された薬品の薬品名（以下「投入薬品名」という）が読み取られたか否かを判断する。なお、前記ステップＳ３１において、前記ＲＦＩＤタグ３１から処方箋情報が読み取られる場合には、同時に前記投入薬品名も読み取られるため、当該ステップ３３では前記投入薬品名が読み取られたと判断されることになる。
【０１２４】
ここで、前記制御部２１は、前記投入薬品名が読み取られると（Ｓ３３のＹｅｓ側）、処理をステップＳ３４に移行させ、前記投入薬品名が読み取られるまでの間は（Ｓ３３のＮｏ側）、処理を前記ステップＳ３１に移行させる。
【０１２５】
＜ステップＳ３４＞
そして、ステップＳ３４において、前記制御部２１は、前記処方箋情報と前記投入薬品名とに基づいて前記ホッパー２５Ａ又は前記ホッパー２５Ｂのいずれを使用するかを選択する。例えば、前記ステップＳ３２において、患者Ｃ１に処方する薬品の包装は前記ホッパー２５Ａを使用し、患者Ｃ２に処方する薬品の包装は前記ホッパー２５Ｂを使用することが設定されている場合を考える。この場合、前記ステップＳ３４では、患者Ｃ１に対応する処方箋情報に含まれた投入薬品名が読み取られると前記ホッパー２５Ａが選択され、患者Ｃ２に対応する処方箋情報に含まれた投入薬品名が読み取られると前記ホッパー２５Ｂが選択される。
【０１２６】
なお、前記ＲＦＩＤタグ３１に前記処方箋情報が記録されていない場合であっても、前記ステップＳ３２では、前記上位システムから入力される処方箋情報や処方箋の二次元コードから読み取られる処方箋情報に基づいて前記ホッパー２５Ａ又は前記ホッパー２５Ｂのいずれを使用するかが選択される。そのため、前記ＲＦＩＤタグ３１には、少なくとも前記薬剤シート３０に載置された薬品に関する薬品名及び秤量値などの情報が記憶されていれば、前記制御部２１がその情報に基づいて前記ステップＳ３４における判断を行うことができる。具体的に、前記制御部２１は、前記薬剤シート３０に載置された薬品に関する薬品名及び秤量値に該当する処方薬品名及び処方量が含まれた処方箋情報を特定し、その処方箋情報に対応する前記ホッパー２５Ａ又は前記ホッパー２５Ｂのいずれかを選択する。
【０１２７】
＜ステップＳ３５＞
ステップＳ３５において、前記制御部２１は、前記ステップＳ３４における選択結果を前記タッチパネル２３に文字又は画像によって表示させる。例えば、前記制御部２１は、「Ａ薬品をＡホッパーに投入してください」などの案内表示を行うことが考えられる。なお、当該表示は、前記ホッパー２５Ａ又は前記ホッパー２５Ｂのいずれかをユーザーに通知するために行われるものであって、前記タッチパネル２３上における表示に限らない。
【０１２８】
例えば、前記制御部２１は、前記選択結果を音声によって表示することも考えられる。また、前記ホッパー２５Ａ及び前記ホッパー２５Ｂ各々にＬＥＤなどを設けておき、前記制御部２１が前記ＬＥＤのいずれかを点灯させることにより前記選択結果を表示させることも考えられる。さらに、前記ホッパー２５Ａ及び前記ホッパー２５Ｂの投入口が所定の駆動手段により開閉可能な構成であれば、前記制御部２１が前記駆動手段を制御して前記ホッパー２５Ａ及び前記ホッパー２５Ｂの投入口のいずれかを開放させることにより前記選択結果を表示させることも考えられる。また、前記ホッパー２５Ａ及び前記ホッパー２５Ｂ各々の投入口にその投入口の開放を制限するロック手段が設けられており、前記制御部２１が、前記ロック手段のいずれか一方のみを解除して他方をロック状態とすることにより、ユーザーが前記薬剤シート３０の薬品を投入するべき前記投入口のみを開放可能な状態にすることも考えられる。
【０１２９】
このように、前記薬品包装装置２０では、前記薬品秤量装置１０で秤量された薬品と一体不可分な前記薬剤シート３０に設けられた前記ＲＦＩＤタグ３１に記憶された情報に基づいて、その薬品の投入先が自動的に表示される。従って、ユーザーは薬品の投入先を容易に把握することができ、薬品の投入先の誤りが防止される。また、前記ステップＳ３４による選択結果の通知手法として、前記タッチパネル２３上の表示、前記音声表示、前記ＬＥＤ表示などの各種の通知手法のいずれか二つ以上を併用すれば、ユーザーによる薬品の投入先の誤りをより効果的に防止することができる。
【０１３０】
＜ステップＳ３６＞
その後、ステップＳ３６において、前記制御部２１は、前記ＲＦＩＤ３１から読み取られた前記処方箋情報及び前記秤量結果に基づいて、前記包装ユニット２２で実行される分包動作を予め設定された制御条件に従って制御する。ここに、係る処理を実行するときの前記制御部２１が分包制御手段に相当する。
【０１３１】
従来の薬品包装装置では、包装する薬品の詳細な情報が不明であるため、全ての薬品を正確に分包することができる共通条件に従って薬品の分包が行われていた。そのため、例えば包装動作が無駄に遅くなる場合があった。しかしながら、当該薬品包装処理では、前記ステップＳ３６において、前記処方箋情報及び前記秤量結果に基づいて異なる包装動作の制御を実行することができるため、例えば薬品ごとに適した条件で薬品の包装を行うことができる。具体的に、前記制御部２１は、前記ＲＦＩＤタグ３１から秤量薬品情報として読み取られた前記処方箋情報及び前記秤量結果に含まれた薬品の種別に応じて、当該散薬の種別ごとに予め設定された動作を前記分割手段又は前記包装手段に実行させるものである。例えば、前記制御部２１は、飛散しやすい種別の散薬を分包する際には分包速度（前記分割ユニット２２１における環状分配皿の回転速度など）を遅くして飛散を防止し、飛散しにくい種別の散薬を分包する際には前記分包速度を速めて分包を迅速に行うことが考えられる。
【０１３２】
［薬品包装処理の他の例］
ここで、図１２〜図１４を参照しつつ、前記薬品包装処理の他の例である第１変形例〜第３変形例について説明する。なお、図１１を用いて説明した前記薬品包装処理の処理手順と同様の処理手順については同じ符合を付してその説明を省略する。
【０１３３】
［第１変形例］
図１２に示すように、当該第１変形例に係る薬品包装処理では、図１１に示した前記ステップＳ３１及び前記ステップＳ３２の間に、前記制御部２１によって後述のステップＳ３１１〜Ｓ３１２が実行される。
【０１３４】
＜ステップＳ３１１＞
ステップＳ３１１において、前記制御部２１は、前記ステップＳ３１で入力された処方箋情報に複数の処方薬品名が含まれるか否かを判断する。ここで、前記制御部２１は、複数の処方薬品名が含まれると判断した場合（Ｓ３１１のＹｅｓ側）、処理をステップＳ３１２に移行させ、複数の処方薬品名が含まれないと判断した場合（Ｓ３１１のＮｏ側）、処理を前記ステップＳ３２に移行させる。
【０１３５】
＜ステップＳ３１２＞
ステップＳ３１２において、前記制御部２１は、前記処方箋情報に含まれた処方薬品名ごとに前記ホッパー２５Ａ又は前記ホッパー２５Ｂのいずれを使用するかを選択する。なお、前記選択手法については、例えば処方薬品名ごとに前記ホッパー２５Ａ又は前記ホッパー２５Ｂのいずれを使用するかに関する割当情報が前記処方箋情報に含まれており、前記制御部２１が、前記処方箋情報に含まれた前記割当情報に応じて前記ホッパー２５Ａ又は前記ホッパー２５Ｂのいずれを使用するかを判断することが考えられる。具体的に、薬品の色（赤色、白色など）ごとに前記ホッパー２５Ａ又は前記ホッパー２５Ｂのいずれを使用するかが医療施設又は薬局ごとに予め定められていることが考えられる。例えば、色がついた有色の薬品と色がついていない無色の薬品とで前記ホッパー２５Ａ及び前記ホッパー２５Ｂを使い分けるように定めておくことが考えられる。また、前記制御部２１が、前記処方薬品名ごとに前記ホッパー２５Ａ及び前記ホッパー２５Ｂを交互に使用するなど、前記処方薬品名ごとに前記ホッパー２５Ａ及び前記ホッパー２５Ｂのいずれを使用するかを自動的に割り当てることも考えられる。
【０１３６】
また、前記処方箋情報に、複数の処方薬品名のうち同じ分包紙内に収容するべき薬品として予め定められた二つの処方薬品名が存在する場合、前記制御部２１は、その二つの薬品の一方で前記ホッパー２５Ａを使用し、他方で前記ホッパー２５Ｂを使用するように選択する。これにより、前記ステップＳ３６における前記薬品包装装置２０の前記包装ユニット２２による薬品分包動作では、前記ホッパー２５Ａ及び前記ホッパー２５Ｂ各々に投入された処方薬品を１服用単位で同じ分包紙に分包させることができる。例えば、一つの処方箋情報に、服用時期が異なる２種類（複数種類）の薬品が含まれている場合は、前記薬品包装装置２０が以下のように動作する。具体的に、朝、昼、夕に服用する散薬Ｍ１と、朝、夕に服用する散薬Ｍ２とが一つの処方箋情報に含まれている場合を考える。この場合、前記ステップＳ３６における薬品分包動作では、前記制御部２１によって前記処方箋情報から前記散薬Ｍ１、Ｍ２各々の服用時期が参照され、前記散薬Ｍ１及び前記散薬Ｍ２が、「前記散薬Ｍ１の朝及び前記散薬Ｍ２の朝」、「前記散薬Ｍ１の昼」、「前記散薬Ｍ１の夕及び前記散薬Ｍ２の夕」のそれぞれの単位で同じ分包紙に包装される。これは、前記制御部２１が前記ＲＦＩＤタグ３１に記録された処方箋情報から薬品それぞれの服用時期を参照することにより実現可能となる機能である。なお、前記薬品包装装置２０では、前記処方箋情報が前記ＲＦＩＤタグ３１から取得されるため、従来ユーザーによって行われていた前記薬品包装装置２０における処方箋情報の入力作業及び前記薬品包装装置２０を作動させるためのオペレーション作業が軽減される。
【０１３７】
以上説明したように、当該第１変形例によれば、一人の患者に対応する一つの処方箋情報に複数の処方薬品名が含まれる場合に、その処方薬品名ごとに前記ホッパー２５Ａ及び前記ホッパー２５Ｂを使い分けることができ、複数の処方薬品の調剤作業を並行して進めることができる。また、同時に分包するべき処方薬品が存在する場合には、前記ホッパー２５Ａ、２５Ｂを同時に用いて、その処方薬品を１服用単位で同じ分包紙に分包させることが可能である。
【０１３８】
［第２変形例］
図１３に示すように、当該第２変形例に係る薬品包装処理では、図１２に示した前記第１変形例に係る薬品包装処理における前記ステップＳ３２及び前記ステップＳ３１２の後に、前記制御部２１によって後述のステップＳ３１３〜Ｓ３１５が実行される。
【０１３９】
＜ステップＳ３１３＞
ステップＳ３１３において、前記制御部２１は、前記ステップＳ３６で実行される薬品分包動作が全ての薬品について完了していない未完了の処方箋情報が存在するか否かを判断する。ここで、前記制御部２１は、前記未完了の処方箋情報が存在すると判断すると（Ｓ３１３のＹｅｓ側）、処理をステップＳ３１４に移行させ、前記未完了の処方箋情報が存在しない場合には（Ｓ３１３のＮｏ側）、処理を前記ステップＳ３３に移行させる。
【０１４０】
＜ステップＳ３１４＞
ステップＳ３１４において、前記制御部２１は、前記未完了の処方箋情報に関する薬品分包動作で使用されるホッパーが選択されたか否かを判断する。なお、単に「ホッパー」と称する場合は、前記ホッパー２５Ａ、２５Ｂのいずれか一方又は両方を示す。前記未完了の処方箋情報に関する薬品分包動作で使用されているホッパー又は使用される予定のホッパーが選択されていない場合（Ｓ３１４のＮｏ側）、前記制御部２１は、処理を前記ステップＳ３３に移行させる。これにより、例えば前記未完了の処方箋情報に同じ分包紙で包装するべき薬品が存在しない場合や、残りの薬品が一つだけである場合など、前記ホッパー２５Ａ及び前記ホッパー２５Ｂの両方を使用する必要がない場合に、前記ホッパー２５Ａ及び前記ホッパー２５Ｂを異なる処方箋情報に記載された薬品の調剤作業で用いることができる。
【０１４１】
一方、前記未完了の処方箋情報に関する薬品分包動作で使用されているホッパー又は使用される予定のホッパーが選択されたと判断されると（Ｓ３１４のＹｅｓ側）、処理はステップＳ３１５に移行する。
【０１４２】
＜ステップＳ３１５＞
ステップＳ３１５において、前記制御部２１は、前記未完了の処方箋情報に関する薬品分包動作が完了するまで処理を待機させ、その後、処理を前記ステップＳ３３に移行させる。なお、この場合、前記制御部２１は、使用可能なホッパーがない旨をユーザーに通知するためのエラーを文字、画像、音声、又は光などによって表示させることが考えられる。
【０１４３】
これにより、例えば前記未完了の処方箋情報に同じ分包紙で包装するべき薬品が存在する場合など、前記ホッパー２５Ａ及び前記ホッパー２５Ｂを共に使用する必要がある場合には、他の処方箋情報に記載された薬品に関する薬品分包動作で前記ホッパー２５Ａ及び前記ホッパー２５Ｂを使用することを禁止することができる。また、前記未完了の処方箋情報に含まれた残りの薬品が二つ以上ある場合に、次の処方箋情報の割り込みが防止されるため、前記処方箋情報を順次処理することができ、調剤ミスを防止することができる。
【０１４４】
［第３変形例］
図１４に示すように、当該第３変形例に係る薬品包装処理では、図１１に示した前記ステップＳ３４〜Ｓ３５に代えて後述のステップＳ３４１〜Ｓ３４３が前記制御部２１によって実行される。
【０１４５】
ここで、当該第３変形例に係る薬品包装処理が実行される前記薬品包装装置２０は、複数の前記ホッパー２５Ａ及び前記ホッパー２５Ｂのそれぞれに対応する位置に設けられた個別の前記ＲＦＩＤリーダライタ２４を備えている必要がある。以下、前記ホッパー２５Ａに対応する位置に設けられた前記ＲＦＩＤリーダライタ２４をＲＦＩＤリーダライタ２４Ａ、前記ホッパー２５Ｂに対応する位置に設けられた前記ＲＦＩＤリーダライタ２４をＲＦＩＤリーダライタ２４Ｂと称する。より具体的に、前記ＲＦＩＤリーダライタ２４Ａが前記ホッパー２５Ａの投入口の近傍に設けられた前記薬剤シート３０の載置台（例えば前記投入口の蓋など）、前記ＲＦＩＤリーダライタ２４Ｂが前記ホッパー２５Ｂの投入口の近傍に設けられた前記薬剤シート３０の載置台に配置される。
【０１４６】
＜ステップＳ３４１＞
ステップＳ３４１において、前記制御部２１は、ユーザーが前記薬剤シート３０の薬品を投入しようとしているホッパーが正しいか否かを判断する。
【０１４７】
具体的に、前記制御部２１は、前記ＲＦＩＤリーダライタ２４又は前記ＲＦＩＤリーダライタ２４Ｂのいずれによって前記ＲＦＩＤタグ３１から前記投入薬品名が読み取られたかに応じて、ユーザーが前記薬剤シート３０の薬品を投入しようとしているホッパーを判断する。そして、前記制御部２１は、前記投入薬品名を読み取った前記ＲＦＩＤリーダライタ２４又は前記ＲＦＩＤリーダライタ２４Ｂが設けられた前記ホッパー２５Ａ又は前記ホッパー２５Ｂが、前記ステップＳ３２で選択されたホッパーであるか否かを判断する。
【０１４８】
ここで、前記制御部２１は、ユーザーが前記薬剤シート３０の薬品を投入しようとしているホッパーが正しいと判断すると（Ｓ３４１のＹｅｓ側）、処理をステップＳ３４２に移行させ、正しくないと判断すると（Ｓ３４１のＮｏ側）、処理をステップＳ３４３に移行させる。
【０１４９】
＜ステップＳ３４２＞
ステップＳ３４２において、前記制御部２１は、前記薬剤シート３０の薬品を投入しようとしているホッパーが正しい旨をユーザーに通知する。具体的に、前記制御部２１は、前記タッチパネル２３にその旨を表示することが考えられる。また、前記制御部２１は、前記ホッパー２５Ａ及び前記ホッパー２５Ｂに設けられたＬＥＤ等を、ホッパーが正しい場合に対応する予め定められた色（青色又は緑色など）で点灯させることも考えられる。もちろん、ホッパーが正しい旨を音声などによって表示することも考えられる。さらに、前記制御部２１が、前記薬剤シート３０の薬品を投入しようとしているホッパーが正しい場合にのみ、そのホッパーの投入口を自動的に開放し或いはそのホッパーの投入口のロックを解除することも考えられる。
【０１５０】
＜ステップＳ３４３＞
一方、ステップＳ３４３において、前記制御部２１は、前記薬剤シート３０の薬品を投入しようとしているホッパーが誤っている旨をユーザーに通知する。具体的に、前記制御部２１は、前記タッチパネル２３にその旨を表示することが考えられる。また、前記制御部２１は、前記ホッパー２５Ａ及び前記ホッパー２５Ｂに設けられたＬＥＤ等を、ホッパーが誤っている場合に対応する予め定められた色（赤色など）で点灯させることも考えられる。もちろん、ホッパーが誤っている旨を音声などによって表示することも考えられる。
【０１５１】
以上説明したように、当該第３変形例によれば、ユーザーは、前記薬剤シート３０を前記ＲＦＩＤリーダライタ２４Ａ又は前記ＲＦＩＤリーダライタ２４Ｂが設けられた位置に載置させることによって、前記薬剤シート３０に載置された薬品の投入先の適否を確認することができるため、前記薬剤シート３０に載置された薬品の投入先の過誤を効果的に防止することができる。
【０１５２】
なお、当該第３変形例は、前記第１変形例、前記第２変形例に係る薬品包装処理（図１２、図１３参照）における前記ステップＳ３４〜Ｓ３５に代えて前記ステップＳ３４１〜Ｓ３４３を実行することも考えられる。これにより、例えば前記処方箋情報に複数の薬品が含まれている場合に、ユーザーは、前記薬剤シート３０の薬品の投入先がその薬品ごとに選択（Ｓ３１２）されたホッパーとして適切であるか否かを容易に確認することができる。
【０１５３】
［他の機能］
以下、前記薬品秤量装置１０の他の機能について説明する。
【０１５４】
［処方箋情報の入力モード］
前記薬品秤量装置１０では、前記処方箋情報の入力モードを任意に選択することが可能である。例えば、前記制御部１１は、前記薬品秤量プログラムに関する初期設定画面を前記タッチパネル１３に表示させ、その初期設定画面に従って行われる操作入力に応じて前記入力モードを選択する。
【０１５５】
前記入力モードには、前記バーコードリーダー１７を用いて前記処方箋情報を読み取るバーコード読取モード、前記タッチパネル１３を用いて前記処方箋情報を手動入力する手動入力モード、及び前記薬品秤量装置１０の上位システムから通信ネットワークを介して前記処方箋情報を入力するネットワーク入力モードなどが含まれる。なお、前記薬品秤量装置１０が前記ネットワーク入力モードを有する場合、前記薬品秤量装置１０は、ＬＡＮ又はインターネットなどの通信ネットワークを介して調剤支援システムなどの上位システムとの間で通信を行う通信インターフェースを備える。そして、前記制御部１１は、例えば前記ネットワーク入力モードにおいても、前記薬品秤量処理（図５参照）と同様の処理手順を実行する。即ち、前記ステップＳ１における処方箋からの処方箋情報の読み取りが前記上位システムからの処方箋情報の入力に代わるだけである。また、前記手動入力モード又は前記ネットワーク入力モードなどの入力モードである場合、前記バーコードリーダー１７で前記二次元コードが読み取られたことを条件に、前記制御部１１が自動的に前記バーコード読取モードに移行させることも考えられる。
【０１５６】
さらに、前記薬品秤量装置１０が、音声を入力するマイク及びマイクに入力された音声に応じて情報を入力する音声認識処理を実行する音声認識手段を有する構成も考えられる。なお、前記音声認識手段は、例えば前記音声認識処理を実行するときの前記制御部１１である。このような構成では、紙に印刷された処方箋又は手書きの処方箋の内容を調剤作業者などが声に出して読み上げることにより、前記制御部１１が前記処方箋に記録された処方箋情報を前記薬品秤量装置１０に入力することができる。即ち、前記薬品秤量装置１０が、前記入力モードとして音声により前記処方箋情報を入力する音声入力モードを備えることが考えられる。このとき、前記制御部１１は、前記処方箋に記録された前記処方箋情報を一括して読み上げることにより複数の医薬品名に関する情報が前記薬品秤量装置１０に入力された後、前記処方箋情報に従った複数の医薬品名に関する秤量を連続して実行することが考えられる。また、前記制御部１１は、前記処方箋に記録された前記処方箋情報のうち一つの医薬品名が読み上げられる度にその医薬品名に関する秤量を実行することも考えられる。
【０１５７】
［処方箋一括読取モード］
前記薬品秤量処理（図５参照）は、一枚の処方箋から処方箋情報を読み取ってその処方箋情報に含まれた処方薬品名各々の秤量を順に行う場合の処理手順である。一方、前記薬品秤量装置１０が、複数枚の処方箋から処方箋情報を連続して読み取り、その処方箋情報各々に関する秤量を並行して進めることのできる処方箋一括読取モードを備える構成が考えられる。前記処方箋一括読取モードは、前記制御部１１により前記薬品秤量プログラムが実行されることにより具現される。
【０１５８】
具体的に、前記処方箋一括読取モードでは、前記薬品秤量処理と概ね同様の処理が実行されるが、前記ステップＳ３において、前記収容薬品名の読み取りが行われない場合（Ｓ３のＮｏ側）、前記制御部１１は処理を前記ステップＳ１に移行させる。これにより、ユーザーは前記バーコードリーダー１７によって複数の処方箋を連続して読み取らせることができる。そして、前記制御部１１は、前記複数の処方箋から読み取られた処方箋情報をＲＡＭなどに蓄積記憶する。ここに、図１５（Ａ）は、複数の処方箋Ｄ１〜Ｄ３から読み取られた処方箋情報を示すものである。前記処方箋Ｄ１には薬品Ａ〜薬品Ｃ、前記処方箋Ｄ２には薬品Ｄ〜薬品Ｆ、前記処方箋Ｄ３には薬品Ｇ〜薬品Ｉがそれぞれ含まれている。
【０１５９】
その後、前記収容薬品名が読み取られると（Ｓ３のＹｅｓ側）、次の前記ステップＳ４において、前記制御部１１は、前記収容薬品名が複数の前記処方箋情報のいずれかの処方薬品名のいずれかに該当するか否かを判断する。具体的に、図１５（Ａ）に示す前記処方箋Ｄ１〜Ｄ３が読み取られた後、前記収容薬品名として「薬品Ｅ」が読み取られた場合には（Ｓ３のＹｅｓ側）、前記処方箋Ｄ２に「薬品Ｅ」が含まれているため（Ｓ４のＹｅｓ側）、処理は前記ステップＳ５に移行する。そして、前記ステップＳ５では、前記処方箋Ｄ２に対応する処方箋情報に含まれた薬品Ｅが秤量対象として自動的に選択され（Ｓ５）、前記処方箋Ｄ２に記録された薬品Ｅの処方量が前記秤量画面４１に表示される（Ｓ６）。
【０１６０】
ここで、前記収容薬品名が複数の前記処方箋情報に含まれる処方薬品名に該当することも考えられる。そこで、このような場合、前記制御部１１は、いずれかの処方箋情報をユーザーに任意に選択させることが考えられる。
【０１６１】
ここに、図１５（Ｂ）は、複数の処方箋Ｄ１〜Ｄ３から読み取られた処方箋情報の他の例を示すものである。前記処方箋Ｄ１には薬品Ａ〜薬品Ｃ、前記処方箋Ｄ２には薬品Ｄ〜薬品Ｆ、前記処方箋Ｄ３には薬品Ｅ、薬品Ｈ、薬品Ｉがそれぞれ含まれている。即ち、前記処方箋Ｄ２、Ｄ３それぞれに薬品Ｅが含まれている。
【０１６２】
この場合、読み取られた前記収容薬品名が「薬品Ｅ」である場合には、その薬品Ｅが前記処方箋Ｄ２及び前記処方箋Ｄ３の両方に含まれているため、前記制御部１１は、前記処方箋Ｄ２又は前記処方箋Ｄ３のいずれかを選択するための処方選択画面６１を前記タッチパネル１３に表示させる。ここに、図１５（Ｃ）は、前記処方選択画面６１の一例を示している。
【０１６３】
そして、前記制御部１１は、前記処方選択画面６１で選択された前記処方箋Ｄ２又は前記処方箋Ｄ３の「薬品Ｅ」を秤量対象として選択し（Ｓ５）、その処方箋に記録された薬品Ｅの処方量を前記秤量画面４１に表示させる（Ｓ６）。
【０１６４】
このような処方箋一括読取モードによれば、複数の処方箋を連続して前記バーコードリーダー１７に読み取らせた後、その処方箋に記録された薬品各々の秤量を連続して進めることができ、ユーザーの調剤効率を高めることができる。
【０１６５】
ところで、一人の患者が複数の診療科の診察を受けた場合などには、その診療科ごとに処方された複数の処方箋に従って薬品の秤量を行うことがある。この場合にも、前述したように、複数枚の処方箋から処方箋情報を連続して読み取る構成が好適である。これにより、複数枚の処方箋を連続して前記バーコードリーダー１７に読み取らせた後、その処方箋に記録された薬品各々の秤量を連続して進めることができ、ユーザーの調剤効率を高めることができる。なお、このとき、前記制御部１１は、同一患者の複数の処方箋が読み取られた場合、それらの処方箋を一つの処方箋情報として統合するか否かを任意に選択するためのポップアップ画面を前記タッチパネル１３に表示させることが考えられる。そして、前記制御部１１は、前記ポップアップ画面に従って複数の処方箋を一つの処方箋情報に統合する旨が選択された場合は、複数の処方箋から読み取られた複数の処方箋情報から一つの処方箋情報を生成し、その後は、その生成された統合後の処方箋情報に従って前記薬品秤量装置１０における秤量を行う。
【０１６６】
さらに、前記制御部１１は、同一患者の複数の処方箋を連続して読み取ることにより、その処方箋各々に記録された全ての処方薬品名を取得することができる。そこで、前記制御部１１は、同一患者の複数の処方箋が読み取られた場合に、前記処方箋各々に記録された全ての処方薬品名のうち同時期に服用することが予め禁止されている薬品の存在の有無を判断することが考えられる。例えば、前記同時期の服用が禁止される薬品とは配合変化や副作用が生じる複数の薬品として予め定められたものである。このとき、前記制御部１１は、前記処方箋情報各々に含まれた複数の薬品が同時期の服用が禁止されたものであるか否かの監査を前記データ記憶部１５に記憶された前記同時服用禁止情報に基づいて行う。そして、前記処方箋各々に記録された全ての処方薬品名のうち同時に服用することが予め禁止されている薬品が存在する場合、前記制御部１１は、その旨の警告を前記タッチパネル１３などに表示させることが考えられる。なお、前記制御部１１は、前記警告を文字、画像、音声、又は光によって表示する。これにより、同時期に服用することで配合変化や副作用が生じる複数の薬品の処方を、前記薬品秤量装置１０における薬品の秤量段階で防止することができる。
【０１６７】
［他の実施形態］
以下、本発明の他の実施形態に係る薬品秤量システム２について説明する。なお、前記薬品秤量システム１と同様の構成については同じ符号を付してその説明を省略する。
【０１６８】
図１７に示すように、前記薬品秤量システム２は、一又は複数の前記薬品秤量装置１０と、一又は複数の前記薬品包装装置２０と、前記薬品秤量装置１０各々に接続された上位システム７０とを備える。前記薬品秤量システム２において、前記薬品秤量装置１０、前記薬品包装装置２０、及び前記上位システム７０各々は、ＬＡＮ又はインターネットなどのネットワークＮを介して通信可能に接続されている。
【０１６９】
前記薬品秤量装置１０の前記制御部１１は、ＣＰＵ１１１，ＳＤカード１１２、及びＲＡＭ１１３を備える。前記ＳＤカード１１２は、前記ＣＰＵ１１１により実行されるカーネル１１４、ＯＳ１１５、及び秤単体アプリ１１６などの各種プログラムを記憶する記憶手段である。前記ＳＤカード１１２に代えて前記各種プログラムが記憶されたＲＯＭ等の記憶手段が設けられていてもよい。前記カーネル１１４は、例えばＬｉｎｕｘ（登録商標）などのソフトウェアプログラムであり、前記ＯＳ１１５は、例えばアンドロイド（登録商標）又はｉＯＳ（登録商標）等のオペーレーティングシステムである。また、前記秤単体アプリは、前記薬品秤量装置１０を通常の電子天秤として動作させるためのソフトウェアプログラムである。即ち、前記薬品秤量装置１０では、前記薬品秤量装置１０に内蔵された前記制御部１１には、前記薬品秤量装置１０で実行される前記薬品秤量処理（図５参照）などの各種の処理を実行するためのプログラム及びデータベースなどが記憶されていない。そのため、前記薬品秤量装置１０では、電子天秤としての機能の安定性が確保されている。
【０１７０】
一方、前記ＵＳＢポート１６に着脱可能な前記データ記憶部１５は、ログ１５１、設定ファイル１５２、帳票レイアウトファイル１５３、薬品秤量プログラム１５４、データベース１５５、及びデータベースダンプファイル１５６などを記憶するＵＳＢメモリである。前記ログ１５１は、前記薬品秤量装置１０の動作の履歴を示すログデータである。なお、前記ＵＳＢポート１６に代えてカードスロットが設けられ、前記データ記憶部１５がＳＤカード等の記録媒体であることも考えられる。
【０１７１】
前記設定ファイル１５２及び前記帳票レイアウトファイル１５３は、前記制御部１１によって実行される各種の処理の設定内容又は印刷フォームなどを含むデータである。前記薬品秤量プログラム１５４は、前記薬品秤量処理（図５参照）などの各種の処理を前記制御部１１に実行させるためのソフトウェアプログラムである。前記データベース１５５は、前記薬品秤量処理などにおいて使用される各種の前記マスターデータ、前記処方箋情報、及び前記秤量結果などをデータベース形式で記憶する。前記データベースダンプファイル１５６は、後述の起動処理（図３９参照）において前記データベース１５５から出力されるバックアップ用のファイルである。前記データベースダンプファイル１５６は、前記データベース１５６に記憶される各種のデータの一部又は全部に異常が生じた場合に、バックアップ時のデータを復元するために用いられる。
【０１７２】
一方、前記薬品包装装置２０は、ハードディスク又はＳＳＤなどのデータ記憶部２６と、前記包装ユニット２２で薬品の包装に使用される分包紙に情報を印字する印字部２７とを備える。前記データ記憶部２６には、前記ネットワークＮを介して前記薬品秤量装置１０各々からアクセス可能な共有フォルダが設けられている。これにより、前記薬品秤量装置１０各々では、前記制御部１１が、前記データ記憶部２６の前記共有フォルダに、前記処方箋情報、前記秤量結果、及び前記調剤シート３０に割り当てられる後述のトレイ番号などの情報を記憶させることが可能である。このとき、前記制御部１１は、前記処方箋情報及び前記秤量結果を前記トレイ番号に対応付けて前記データ記憶部２６に記憶させる。これにより、前記制御部２１は、例えば前記薬剤シート３０の前記ＲＦＩＤタグ３１から前記トレイ番号を読み取り、前記トレイ番号に基づいて前記薬剤シート３０に対応する前記処方箋情報及び前記秤量結果を前記データ記憶部２６から読み出すことが可能である。
【０１７３】
前記上位システム７０は、例えば電子カルテシステム又は調剤支援システムなどであって、患者に処方する処方薬品に関する前記処方箋情報の入力及び管理などを行うパーソナルコンピューター等の情報処理装置である。具体的に、前記上位システム７０は、制御部７１及びデータ記憶部７２等を備える。前記制御部７１は、ＣＰＵ、ＲＡＭ、及びＲＯＭなどを備え、前記上位システム７０を統括的に制御する。また、前記データ記憶部７２は、前記制御部７１に各種の処理を実行させるためのプログラム及び前記処方箋情報を記憶するハードディスク又はＳＳＤ等の不揮発性の記憶手段である。
【０１７４】
前記上位システム７０では、前記制御部７１が、前記データ記憶部７２に記憶された前記処方箋情報を前記薬品秤量装置１０からの送信要求に応じて前記薬品秤量装置１０に送信することが可能である。このとき、前記制御部７１は、前記薬品秤量装置１０のいずれかで秤量対象として選択された前記処方箋情報をロックし、他の前記薬品秤量装置で同一の前記処方箋情報が選択されないように排他処理を実行する。これにより、複数の前記薬品秤量装置１０を用いた前記薬品秤量情報に基づく秤量作業の重複が防止される。なお、前記制御部７１は、前記薬品包装装置２０からの送信要求に応じて前記薬品包装装置２０に前記処方箋情報を送信することも可能である。また、前記制御部７１が、前記薬品秤量装置１０又は前記薬品包装装置２０に能動的に前記処方箋情報を送信することも可能である。
【０１７５】
前記薬品秤量システム２では、前記薬品秤量装置１０が、前記バーコードリーダー１７による処方箋からの前記処方箋情報の読み取り、及び前記タッチパネル１３に対する前記処方箋情報の入力操作に加え、前記上位システム７０から前記処方箋情報を取得することが可能である。そして、前記上位システム７０から前記処方箋情報を取得すると、前記制御部１１は前記処方箋情報を前記データ記憶部１５に記憶させる。これにより、前記制御部１１は、前記タッチパネル１３に対するユーザー操作に応じて前記データ記憶部１５から任意に選択された前記処方箋情報を読み出すことが可能である。また、後述するように、前記制御部１１は、前記データ記憶部１５から時系列順に前記処方箋情報を自動的に読み出すことも可能である。さらに、前記制御部１１は、前記ネットワークＮを介して前記上位システム７０の前記データ記憶部７２にアクセスし、前記処方箋情報を読み出して前記データ記憶部１５にコピーすることも可能である。
【０１７６】
［処方入力処理］
前記薬品秤量装置１０では、前記制御部１１が、前記バーコードリーダー１７により処方箋から前記処方箋情報が読み取られた場合、又は前記データ記憶部１５に記憶された前記処方箋情報が読み出された場合に処方入力処理を実行する。例えば、前記処方入力処理は、前記薬品秤量処理における前記ステップＳ１と前記ステップＳ２との間で実行される処理である。なお、ここで説明する前記処方入力処理は、前記薬品秤量装置１０が前記上位システム７０に接続されていない構成、例えば前記薬品秤量システム１において前記薬品秤量装置１０で実行されてもよい。
【０１７７】
以下、図１８を参照しつつ、前記処方入力処理の手順の一例について説明する。
【０１７８】
＜ステップＳ４１＞
ステップＳ４１において、前記制御部１１は、前記処方箋情報に含まれた有効期限の情報に応じて前記処方箋情報が有効期限内であるか否かを判断する。ここで、前記有効期限を超過している場合には（Ｓ４１のＮｏ側）、前記制御部１１は処理をステップＳ４１１に移行させる。そして、ステップＳ４１１において、前記制御部１１は、前記有効期限が超過している旨を前記タッチパネル１３に表示してユーザーに報知した後、前前処方箋情報を秤量対象とすることなく前記処方入力処理を終了させる。一方、前記制御部１１は、前記有効期限内であると判断すると（Ｓ４１のＹｅｓ側）、処理をステップＳ４２に移行させる。
【０１７９】
＜ステップＳ４２〜Ｓ４３＞
ステップＳ４２〜Ｓ４３において、前記制御部１１は、前記処方箋情報に含まれた一又は複数のレシピの用法情報及び薬品情報を解析して前記レシピ各々の用法及び処方薬品などの情報を取得する。なお、前記レシピは、服用単位の処方を意味し、前記薬品秤量システム２における表示又は印刷時には「Ｒｐ」と略される。以下、前記処方箋情報に含まれた前記レシピ各々の情報をレシピ情報と称する。
【０１８０】
＜ステップＳ４４＞
ステップＳ４４において、前記制御部１１は、前記処方箋情報に含まれたレシピに不均等レコードが存在するか否かを判断する。前記不均等レコードとは、処方薬品の処方量が服用時期によって異なるレシピである。例えば、Ａ薬品について、朝、昼、夕のそれぞれの服用時期の処方量が１ｍｇ、１ｍｇ、２ｍｇであるレシピが前記不均等レコードに該当する。ここで、前記制御部１１は、前記不均等レコードが存在すると判断すると（Ｓ４４のＹｅｓ側）、処理をステップＳ４５に移行させ、前記不均等レコードが存在しないと判断すると（Ｓ４４のＮｏ側）、処理をステップＳ４６に移行させる。
【０１８１】
＜ステップＳ４５＞
ステップＳ４５において、前記制御部１１は、前記処方箋情報に含まれたレシピのうち前記不均等レコードが存在するレシピを、服用時期単位のレシピに分割するレシピ分割処理を実行する。ここに、図１９には、前記不均等レコードの一例であるレシピＲｐ１、及び前記レシピ分割処理後のレシピＲｐ１１〜レシピＲｐ１３の一例が示されている。図１９に示すように、前記レシピＲｐ１では、「Ａ薬品」の朝、昼、夕のうち夕の処方量が朝及び昼の処方量と異なる。そのため、前記制御部１１は、図１９に示すように、前記レシピＲｐ１を、朝のみに対応するレシピＲｐ１１、昼のみに対応するレシピＲｐ１２、夕のみに対応するレシピＲｐ１３に分割する。なお、朝及び昼の１日量が同じであり、夕の１日量のみが異なるような場合に、夕のみを分割してレシピを生成することも考えられる。即ち、前記制御部１１が、複数の服用時期のうち処方量が異なる服用時期のみを異なるレシピとして分割することが考えられる。また、前記ステップＳ４５における前記レシピ分割処理の実行の有無は、前記薬品秤量装置１０の初期設定などにおいて、前記タッチパネル１３に対するユーザー操作に応じて前記制御部１１により変更可能である。
【０１８２】
＜ステップＳ４６＞
ステップＳ４６において、前記制御部１１は、前記処方箋情報に用法及び日数が同一のレシピが複数存在するか否かを判断する。例えば、Ａ薬品を７日間、朝及び昼に処方する旨を示すレシピと、同じくＢ薬品を７日間、朝及び昼に処方する旨を示すレシピとが存在する場合に、前記処方箋情報に用法及び日数が同一のレシピが複数存在すると判断される。ここで、前記制御部１１は、用法及び日数が同一のレシピが複数存在すると判断すると（Ｓ４６のＹｅｓ側）、処理をステップＳ４７に移行させ、用法及び日数が同一のレシピが存在しないと判断すると（Ｓ４６のＮｏ側）、処理をステップＳ４８に移行させる。
【０１８３】
＜ステップＳ４７＞
ステップＳ４７において、前記制御部１１は、前記処方箋情報に用法及び日数が同一の数の複数のレシピを一つのレシピに取り纏めるレシピ取り纏め処理を実行する。ここに、図２０には、取り纏められる前のレシピＲｐ２１〜Ｒｐ２３、及び前記レシピ取り纏め処理後のレシピＲｐ２及びレシピＲｐ２３の一例が示されている。図２０に示すように、前記レシピＲｐ２１〜前記レシピＲｐ２３のうち前記レシピＲｐ２１及び前記レシピＲｐ２２は用法（分２）及び日数（７日分）が同一である。そのため、前記制御部１１は、図２０に示すように、前記レシピＲｐ２１及び前記レシピＲｐ２２を一つのレシピＲｐ２に取り纏める。これにより、前記薬品秤量装置１０で取り纏められた後の前記処方箋情報に基づいて行われる前記薬品包装装置２０の分包処理において複数の処方薬品の一包化が実現される。また、前記ステップＳ４７における前記レシピ取り纏め処理の実行の有無は、前記薬品秤量装置１０の初期設定などにおいて、前記タッチパネル１３に対するユーザー操作に応じて前記制御部１１により変更可能である。
【０１８４】
＜ステップＳ４８＞
そして、ステップＳ４８において、前記制御部１１は、前記ステップＳ４５における前記レシピ分割処理又は前記ステップＳ４７における前記レシピ取り纏め処理後の前記処方箋情報を前記データ記憶部１５に記憶すると共に、前記処方箋情報を前記薬品包装装置２０の前記データ記憶部２６の前記共有フォルダに記憶させる。これにより、前記薬品包装装置２０でも、前記処方箋情報を読み出して分包処理を実行することが可能である。
【０１８５】
［表示制御処理］
また、前記薬品秤量装置１０では、前記制御部１１が、予め設定された前記薬品秤量装置１０のシステム連動の種類に応じて前記タッチパネル１３の画面表示を制御する表示制御処理を実行する。具体的に、前記薬品秤量装置１０では、初期設定などにおいて、前記システム連動の種類を選択するためのシステム連動選択画面Ｐ２１が前記制御部１１によって前記タッチパネル１３に表示される。ここに、図２１は、前記システム連動選択画面Ｐ２１の一例を示す図である。図２１に示すように、前記システム連動選択画面Ｐ２１では、前記システム連動の種類として「順次」、「患者ＩＤ」、「引換券番号」、「未処理」、「処理済み」、及び「単体」に対応する複数のタッチキーが表示されている。そして、前記制御部１１は、前記タッチパネル１３の前記タッチキーに対するユーザー操作に応じて前記システム連動の種類を設定する。なお、前記制御部１１は、前記薬品秤量装置１０のシステム連動の種類が「単体」に設定されている場合は、前記薬品秤量装置１０を電子天秤として使用可能な状態にして前記処方箋情報の入力を受け付けない。
【０１８６】
以下、図２２を参照しつつ、前記表示制御処理の手順の一例について説明する。
【０１８７】
＜ステップＳ５１＞
ステップＳ５１において、前記制御部１１は、前記薬品秤量装置１０の前記システム連動の種類が「順次」に設定されているか否かを判断する。なお、「順次」は、前記制御部１１が、前記上位システム７０から取得する前記処方箋情報のレシピを順に前記タッチパネル１３に表示させる動作モードである。ここで、前記制御部１１は、前記システム連動の種類が「順次」である場合は（Ｓ５１のＹｅｓ側）、処理をステップＳ５２に移行させ、「順次」でなければ（Ｓ５１のＮｏ側）、処理をステップＳ５３に移行させる。
【０１８８】
＜ステップＳ５２＞
ステップＳ５２において、前記制御部１１は、前記タッチパネル１３に前記薬品秤量装置１０で秤量対象となる前記レシピ情報を表示する処方画面Ｐ２３を表示させる。ここに、図２３及び図２４は、前記処方画面Ｐ２３の一例を示す図である。図２３に示すように、前記処方画面Ｐ２３は、前記レシピ情報の調剤者、処方番号、日数、分数、年齢、体重などが表示される処方情報領域Ａ２３１を含む。なお、前記制御部１１は、前記処方情報領域Ａ２３１の各表示箇所に対するユーザー操作に応じて前記レシピ情報を直接入力することも可能である。
【０１８９】
また、図２３に示すように、前記処方画面Ｐ２３は、秤量対象となる処方薬品ごとの１日量及び総量が表示される薬品表示領域Ａ２３２を含む。また、前記制御部１１は、前記薬品表示領域Ａ２３２に対するユーザーのタッチ操作に応じて、前記処方薬品ごとの１日量及び総量の表示内容を実測量と目標量とに交互に切り替える。前記実測量は、前記薬品秤量装置１０で実際に測定された値、前記目標量は、前記レシピ情報で処方量として定められた値である。なお、前記処方画面Ｐ２３には、メニューキーＫ２３３が表示されており、前記制御部１１は、前記メニューキーＫ２３３のユーザー操作に応じて前記システム連動の種類などの設定を開始するための初期設定のメニュー画面を表示する。
【０１９０】
さらに、図２３に示すように、前記処方画面Ｐ２３は展開領域Ａ２３４を含む。前記制御部１１は、前記展開領域Ａ２３４に対してユーザーによるタッチ操作又は上方へのフリック操作が行われると、図２４に示すように、前記展開領域Ａ２３４の表示領域を拡張させる。そして、前記展開領域Ａ２３４には、前記処方画面Ｐ２３で操作可能な内容を示す各種のタッチキーが表示される。例えば、前記展開領域Ａ２３４には、前記薬品包装装置２０における分包動作で使用する分包紙の種類を設定する設定キーＫ２３５が表示される。前記制御部１１は、前記設定キーＫ２３５のユーザー操作に応じて前記分包紙の種類を設定するための設定画面を表示させる。前記制御部１１は、前記設定画面で入力された前記分包紙の種類を、前記薬品包装装置２０における分包動作時に参照される前記処方箋情報として記録する。例えば、前記分包紙の種類は、分包紙の素材及び長さで区別され、前記設定画面では、前記分包紙の素材及び長さを選択するための複数の組み合わせが表示される。
【０１９１】
＜ステップＳ５３＞
ステップＳ５３において、前記制御部１１は、前記薬品秤量装置１０のシステム連動の種類が「未処理」又は「処理済み」に設定されているか否かを判断する。なお、「未処理」は、前記制御部１１が前記薬品秤量装置１０で秤量が完了していない前記処方箋情報のみを表示させる動作モードである。また、「処理済み」は、前記制御部１１が前記薬品秤量装置１０で秤量が完了した前記処方箋情報のみを表示させる動作モードである。ここで、前記制御部１１は、前記システム連動の種類が「未処理」又は「処理済み」である場合は（Ｓ５３のＹｅｓ側）、処理をステップＳ５４に移行させ、「未処理」又は「処理済み」でなければ（Ｓ５３のＮｏ側）、処理をステップＳ５６に移行させる。
【０１９２】
＜ステップＳ５４＞
ステップＳ５４において、前記制御部１１は、前記薬品秤量装置１０における初期設定で、秤量対象を選択する際の表示形式として処方箋単位又はレシピ単位のいずれが選択されているかを判断する。ここで、前記制御部１１は、前記処方箋単位が選択されていると判断すると、処理をステップＳ５５１に移行させ（Ｓ５４のＹｅｓ側）、前記レシピ単位が選択されていると判断すると（Ｓ５４のＮｏ側）、処理をステップＳ５５２に移行させる。
【０１９３】
＜ステップＳ５５１＞
ステップＳ５５１において、前記制御部１１は、前記処方箋情報の一覧を含む処方一覧画面Ｐ２５を前記タッチパネル１３に表示させる。具体的に、前記処方一覧画面Ｐ２５には、前記システム連動の種類が「未処理」である場合には前記薬品秤量装置１０で秤量が完了していない前記処方箋情報の一覧が表示される。また、前記システム連動の種類が「処理済み」である場合には前記薬品秤量装置１０で秤量が完了した前記処方箋情報の一覧が前記処方一覧画面Ｐ２５に表示される。ここに、図２５及び図２６は、前記処方一覧画面Ｐ２５の一例を示す図である。図２５に示すように、前記処方一覧画面Ｐ２５には、前記処方箋情報に対応する患者ＩＤ、患者名、診療科、レシピ数（Ｒｐ数）、薬品名、及び削除などの項目が表示されている。
【０１９４】
さらに、図２５に示すように、前記処方一覧画面Ｐ２５には、展開領域Ａ２５１が表示されている。前記制御部１１は、前記展開領域Ａ２５１に対してユーザーによるタッチ操作又は上方へのフリック操作が行われると、図２６に示すように、前記展開領域Ａ２５１の表示領域を拡張させる。そして、前記展開領域Ａ２５１には、前記処方一覧画面Ｐ２５で操作可能な内容を示す各種のタッチキーが表示される。
【０１９５】
ところで、前記制御部１１は、前記処方一覧画面Ｐ２５を表示させる際、前記処方一覧画面Ｐ２５に同時に表示可能な予め設定された所定数の前記処方箋情報の送信を前記上位システム７０に要求する。そして、前記制御部１１は、前記上位システム７０から前記所定数の前記処方箋情報を受信して前記データ記憶部１５に記憶させる。この場合、前記制御部１１は、前記展開領域Ａ２５１に表示された「前データ」又は「次データ」の操作に応じて前記処方一覧画面Ｐ２５に表示された前記処方箋情報の内容を切り替える。具体的に、前記制御部１１は、前記展開領域Ａ２５１に表示された「前データ」の操作に応じて、現在表示中である前記処方箋情報より前の所定数の前記処方箋情報の送信を前記上位システム７０に要求する。同じく、前記制御部１１は、前記展開領域Ａ２５１に表示された「次データ」の操作に応じて、現在表示中である前記処方箋情報より後の所定数の前記処方箋情報の送信を前記上位システム７０に要求する。これにより、前記制御部１１は、前記上位システム７０から送信される前記所定数の前記処方箋情報を前記データ記憶部１５に記憶させると共に前記処方一覧画面Ｐ２５に表示させる。このように、前記薬品秤量装置１０が前記上位システム７０から必要な前記処方箋情報だけを取得する構成であれば、前記上位システム７０に複数の前記薬品秤量装置１０が接続されている構成において前記処方箋情報の排他処理を実現することができる。具体的には、上述したように、前記上位システム７０では、前記制御部７１により、一つの前記薬品秤量装置１０において秤量対象として選択された前記処方箋情報をロックし、他の前記薬品秤量装置１０に送信しないように制御することが考えられる。
【０１９６】
一方、前記薬品秤量装置１０が、例えば調剤システム処方ＩＦ共有仕様（ＮＳＩＰＳ）に従って前記上位システム７０から前記処方箋情報を取得する構成も考えられる。また、前記処方箋情報は、前記上位システム７０から前記薬品包装装置２０に送信された後、前記薬品包装装置２０から前記薬品秤量装置１０に送信されてもよい。そして、前記制御部１１は、前記上位システム７０又は前記薬品包装装置２０から取得した前記処方箋情報を前記データ記憶部１５に記憶させる。この場合、前記データ記憶部１５には、前記処方一覧画面Ｐ２５に表示可能な前記所定数だけでなく多数の前記処方箋情報が記憶可能である。そこで、前記制御部１１は、前記処方一覧画面Ｐ２５に対するユーザーの上下方向のフリック操作に応じて、前記処方一覧画面Ｐ２５に表示される前記処方箋情報をスライドさせて変更することが可能である。なお、この場合、前記展開領域Ａ２５１に「前データ」及び「次データ」などは表示されない。もちろん、前記制御部１１が、前記処方一覧画面Ｐ２５に表示可能な前記所定数よりも多くの前記処方箋情報の送信を前記上位システム７０に要求して前記処方箋情報を受信し、前記処方一覧画面Ｐ２５における上下方向のフリック操作に応じて前記処方箋情報をスライド表示可能な構成も考えられる。
【０１９７】
そして、前記制御部１１は、前記処方一覧画面Ｐ２５において前記処方箋情報のいずれかに対応する表示位置が操作されると、前記処方箋情報に対応する表示位置の表示色を変更して選択状態である旨を示す。その後、前記制御部１１は、前記処方箋情報のいずれかが選択された状態で前記タッチパネル１３に対してユーザーによる右方向又は左方向のフリック操作が行われると、選択中の前記処方箋情報の詳細を示す処方薬品情報画面Ｐ２７を前記タッチパネル１３に表示させる。ここに、図２７は、前記処方薬品情報画面Ｐ２７の一例を示す図である。前記処方薬品情報画面Ｐ２７では、前記処方箋情報に含まれたレシピごとに処方薬品の情報（薬品名、用法、日数、処方量など）が表示されている。
【０１９８】
ここで、前記制御部１１は、前記処方薬品情報画面Ｐ２７においてレシピのいずれかに対応する表示位置が操作されると、前記レシピに対応する表示位置の表示色を変更して選択状態である旨を示す。その後、前記制御部１１は、前記処方薬品情報画面Ｐ２７の展開領域Ａ２７１に対してユーザーによるタッチ操作又は上方へのフリック操作が行われた後に表示される決定キーが操作されると、前記選択中のレシピを秤量対象として決定し、前記処方画面Ｐ２３を表示させる。なお、前記処方薬品情報画面Ｐ２７において、前記制御部１１は、既に秤量が完了している処方薬品又はレシピの表示位置については、選択中を示す表示色とは異なる表示色に変更することによりその旨を示す。
【０１９９】
＜ステップＳ５５２＞
一方、ステップＳ５５２において、前記制御部１１は、前記処方箋情報をレシピごとに分解したレシピ情報の一覧を含むレシピ一覧画面Ｐ２８を前記タッチパネル１３に表示させる。具体的に、前記レシピ一覧画面Ｐ２８には、前記システム連動の種類が「未処理」である場合には前記薬品秤量装置１０で秤量が完了していない前記レシピ情報の一覧が表示される。また、前記システム連動の種類が「処理済み」である場合には前記薬品秤量装置１０で秤量が完了した前記レシピ情報の一覧が前記レシピ一覧画面Ｐ２８に表示される。ここに、図２８及び図２９は、前記レシピ一覧画面Ｐ２８の一例を示す図である。図２８に示すように、前記レシピ一覧画面Ｐ２８には、前記レシピ情報に対応する患者ＩＤ、患者名、診療科、薬品名、及び削除などの項目が表示されている。
【０２００】
さらに、図２８に示すように、前記レシピ一覧画面Ｐ２８には、展開領域Ａ２８１が表示されている。前記制御部１１は、前記展開領域Ａ２８１に対してユーザーによるタッチ操作又は上方へのフリック操作が行われると、図２９に示すように、前記展開領域Ａ２８１の表示領域を拡張させる。そして、前記展開領域Ａ２８１には、前記レシピ一覧画面Ｐ２８で操作可能な内容を示す各種のタッチキーが表示される。
【０２０１】
ところで、前記レシピ一覧画面Ｐ２８を表示させる場合にも、前記制御部１１は、前記処方一覧画面Ｐ２５を表示させる場合と同様に、前記レシピ一覧画面Ｐ２８に同時に表示可能な予め設定された所定数の前記レシピ情報の送信を前記上位システム７０に要求する。そして、前記制御部１１は、前記上位システム７０から前記所定数の前記レシピ情報を受信して前記データ記憶部１５に記憶させる。この場合にも、前記制御部１１は、前記展開領域Ａ２５１に表示された「前データ」又は「次データ」の操作に応じて前記レシピ一覧画面Ｐ２８に表示された前記レシピ情報の内容を切り替える。このように、前記薬品秤量装置１０が前記上位システム７０から必要な前記レシピ情報だけを取得するため、前記上位システム７０に複数の前記薬品秤量装置１０が接続されている構成において、前記上位システム７０が前記レシピ情報又は前記処方箋情報の排他処理を実行することができる。
【０２０２】
また、前記薬品秤量装置１０が、例えば前記調剤システム処方ＩＦ共有仕様（ＮＳＩＰＳ）に従って前記上位システム７０から前記レシピ情報を取得する構成では、前記制御部１１は、前記レシピ一覧画面Ｐ２８に対するユーザーの上下方向のフリック操作に応じて、前記レシピ一覧画面Ｐ２８に表示される前記レシピ情報をスライドさせて変更することが可能である。
【０２０３】
そして、前記制御部１１は、前記レシピ一覧画面Ｐ２８において前記レシピ情報のいずれかに対応する表示位置が操作されると、前記レシピ情報に対応する表示位置の表示色を変更して選択状態である旨を示す。その後、前記制御部１１は、前記レシピ情報のいずれかが選択された状態で前記タッチパネル１３に対してユーザーによる右方向又は左方向のフリック操作が行われると、選択中の前記レシピ情報の詳細を示す処方薬品情報画面Ｐ３０を前記タッチパネル１３に表示させる。ここに、図３０は、前記処方薬品情報画面Ｐ３０の一例を示す図である。前記処方薬品情報画面Ｐ３０では、前記レシピ情報に含まれる処方薬品の情報（薬品名、用法、日数、処方量など）が表示されている。
【０２０４】
その後、前記制御部１１は、前記レシピ一覧画面Ｐ２８の前記展開領域Ａ２８１又は前記処方薬品情報画面Ｐ３０の展開領域Ａ３０１に対してユーザーによるタッチ操作又は上方へのフリック操作が行われた後に表示される決定キーが操作されると、選択中のレシピ情報を秤量対象として決定し、前記処方画面Ｐ２３を表示させる。なお、前記処方薬品情報画面Ｐ３０において、前記制御部１１は、既に秤量が完了している処方薬品の表示位置を異なる表示色に変更することによりその旨を示す。
【０２０５】
＜ステップＳ５６＞
また、ステップＳ５６において、前記制御部１１は、前記薬品秤量装置１０のシステム連動の種類が「患者ＩＤ」又は「引換券番号」に設定されているか否かを判断する。なお、「患者ＩＤ」は、前記制御部１１が前記タッチパネル１３に対するユーザー操作によって入力される患者ＩＤに対応する前記処方箋情報を前記データ記憶部１５又は前記上位システム７０から読み出す動作モードである。また、「引換券番号」は、前記制御部１１が前記タッチパネル１３に対するユーザー操作によって入力される引換券番号に対応する前記処方箋情報を前記データ記憶部１５又は前記上位システム７０から読み出す動作モードである。ここで、前記制御部１１は、前記システム連動の種類が「患者ＩＤ」又は「引換券番号」である場合は（Ｓ５６のＹｅｓ側）、処理をステップＳ５７に移行させ、「患者ＩＤ」及び「引換券番号」でなければ（Ｓ５７のＮｏ側）、処理を前記ステップＳ５１に戻す。
【０２０６】
＜ステップＳ５７＞
ステップＳ５７において、前記制御部１１は、前記システム連動の種類が「患者ＩＤ」である場合には患者ＩＤを、前記システム連動の種類が「引換券番号」である場合は引換券番号を入力するための入力画面Ｐ３１を前記タッチパネル１３に表示させる。ここに、図３１は、前記患者ＩＤを入力するための前記入力画面Ｐ３１の一例を示す図である。前記制御部１１は、図３１に示す前記入力画面Ｐ３１に前記患者ＩＤが入力されると、前記データ記憶部１５に記憶された前記処方箋情報から前記患者ＩＤに対応する処方箋情報を抽出する。そして、前記制御部１１は、前記患者ＩＤに対応する処方箋情報を前記処方一覧画面Ｐ２５に表示させる。なお、前記システム連動の種類が「引換券番号」である場合には、前記入力画面Ｐ３１に引換券番号を入力するための入力部が表示され、前記入力部に入力された前記引換券番号に対応する前記処方箋情報が読み出される。
【０２０７】
［後発医薬品使用処理］
また、前記薬品秤量装置１０では、前記薬品秤量処理（図５参照）の前記ステップＳ１５〜Ｓ２１でも説明したように、前記処方箋情報に含まれる処方薬品に代えて後発医薬品を使用するための後発医薬品使用処理が実行される。即ち、以下で説明する前記後発品医薬品使用処理は、前記薬品秤量処理（図５参照）における前記ステップＳ１３のＮｏ側で実行される前記ステップＳ１５以後の処理に代えて実行される処理である。
【０２０８】
以下、図３２を参照しつつ、前記後発医薬品使用処理の他の例について説明する。なお、ここで説明する前記後発医薬品使用処理は、前記薬品秤量装置１０が前記上位システム７０に接続されていない構成、例えば前記薬品秤量システム１において前記薬品秤量装置１０で実行されることも考えられる。また、ここでは、図３３に示すように、前記処方画面Ｐ２３に表示された前記処方箋情報に「ガスター散１０％」の処方薬品が含まれており、前記バーコードリーダー１７によって「ガスドッグ散１０％」が前記収容薬品名として読み取られる場合を例に挙げて説明する。
【０２０９】
＜ステップＳ６１＞
まず、ステップＳ６１において、前記制御部１１は、前記ステップＳ３で読み取られた前記収容薬品名に変更する変更対象を前記処方箋情報に含まれた処方薬品名から選択するための処理を実行する。具体的に、前記制御部１１は、前記処方箋情報に含まれた前記処方薬品名から変更対象を選択させるための選択画面を表示させ、前記タッチパネル１３に対するユーザー操作により選択された前記処方薬品名を変更対象として選択する。なお、前記処方薬品名が一つである場合には、前記制御部１１がその一つの処方薬品名を変更対象として自動的に選択してもよい。
【０２１０】
＜ステップＳ６２＞
次に、ステップＳ６２において、前記制御部１１は、前記ステップＳ６１で選択された前記処方薬品名について後発医薬品への変更不可を指示する旨の変更不可情報が前記処方箋情報に含まれているか否かを判断する。そして、前記制御部１１は、前記処方箋情報に前記変更不可情報が含まれている場合には（Ｓ６２のＹｅｓ側）、処理をステップＳ６３に移行させる。一方、前記制御部１１は、前記変更不可情報が含まれていない場合は（Ｓ６２のＮｏ側）、処理をステップＳ６１１に移行させて後述の処方薬品の変更処理（図３４参照）を実行する。なお、前記変更不可情報は、前記上位システム７０において前記処方箋情報に付加される。また、前記制御部１１が、前記タッチパネル１３に対するユーザー操作に応じて付加することも考えられる。
【０２１１】
＜ステップＳ６３＞
ステップＳ６３において、前記制御部１１は、前記処方薬品を後発医薬品に変更することが禁止されている旨を前記タッチパネル１３に表示させてユーザーに報知し、処理をステップＳ６４に移行させる。即ち、前記処方薬品は、前記収容薬品名に対応する前記後発医薬品に変更されない。
【０２１２】
＜ステップＳ６４＞
ステップＳ６４において、前記制御部１１は、前記ステップＳ６１でまだ選択されていない他の前記処方薬品名が前記処方箋情報に含まれているか否かを判断する。ここで、前記制御部１１は、未選択の他の前記処方薬品が含まれていると判断すると（Ｓ６４のＹｅｓ側）、処理を前記ステップＳ６１に移行させ、未選択の他の前記処方薬品が含まれていないと判断すると（Ｓ６４のＮｏ側）、当該後発医薬品使用処理を終了させる。
【０２１３】
［後発医薬品の変更処理］
次に、図３４を参照しつつ、前記ステップＳ６１１で実行される前記処方薬品の変更処理の手順の一例について説明する。
【０２１４】
＜ステップＳ７１＞
ステップＳ７１において、前記制御部１１は、前記バーコードリーダー１７で薬瓶から読み取られた前記収容薬品名が、前記後発医薬品マスターにおいて前記処方薬品の後発医薬品として登録されているか否かを判断する。ここで、前記制御部１１は、前記収容薬品名が前記後発医薬品として登録されていると判断すると（Ｓ７１のＹｅｓ側）、処理をステップＳ７２に移行させる。一方、前記制御部１１は、前記収容薬品名が前記後発医薬品として登録されていない場合は（Ｓ７１のＮｏ側）、処理をステップＳ７１１に移行させて後述の後発医薬品の登録処理（図３７参照）を実行する。
【０２１５】
＜ステップＳ７２＞
ステップＳ７２において、前記制御部１１は、前記ステップＳ６１で選択された前記処方薬品を前記収容薬品名として読み取られた前記後発医薬品に変更して前記処方画面Ｐ２３を再表示し、当該処方薬品の変更処理を終了させる。ここに、図３５は、前記処方薬品が前記後発医薬品に変更された後の前記処方画面Ｐ２３の一例を示す図である。図３５に示すように、前記ステップＳ７２で表示される前記処方画面Ｐ２３では、前記処方箋情報に処方薬品として含まれていた「ガスター散１０％」が、後発医薬品名である「ガスドッグ散１０％」に変更されている。なお、このように前記処方薬品が前記後発医薬品に変更された場合には、前記制御部１１によって、その変更の履歴情報（例えば、変更日時、変更担当の薬剤師名、及び変更の内容など）が前記秤量結果として記録されることが考えられる。これにより、前記処方薬品を前記後発医薬品等に変更した履歴を後で容易に確認することができる。
【０２１６】
また、前記ステップＳ７２において、前記制御部１１が、前記後発医薬品マスターに基づいて、前記収容薬品名に対応する前記先発医薬品及び前記後発医薬品の薬品一覧画面Ｐ３３を前記タッチパネル１３に表示させることも他の実施形態として考えられる。ここに、図３６は、前記薬品一覧画面Ｐ３３の一例を示す図である。図３６に示すように、前記薬品一覧画面Ｐ３３には、前記収容薬品名に対応する薬品の一般名（ファモチジン）、前記収容薬品名に対応する先発医薬品及び後発医薬品が表示されている。前記薬品一覧画面Ｐ３３において、表示中の前記先発医薬品及び前記後発医薬品のいずれかを選択するためのタッチ操作がユーザーによって行われると、その選択された薬品名の表示位置の表示色が変更されて選択状態が示される。なお、前記薬品一覧画面Ｐ３３の初期表示時には、前記バーコードリーダー１７によって読み取られた前記収容薬品名が選択状態となる。そして、前記制御部１１は、前記後発医薬品のいずれか一つが選択された状態で決定キーＫ３３１が操作されると、前記処方薬品を前記薬品一覧画面Ｐ３３で選択された前記後発医薬品に変更する。なお、前記薬品一覧画面Ｐ３３のキャンセルキーＫ３３２が操作されると、前記制御部１１は前記後発医薬品の登録をキャンセルして当該処方薬品の変更処理を終了させる。
【０２１７】
［後発医薬品の登録処理］
次に、図３７を参照しつつ、前記ステップＳ７１１で実行される前記後発医薬品の登録処理の手順の一例について説明する。
【０２１８】
＜ステップＳ８１＞
まず、ステップＳ８１において、前記制御部１１は、前記収容薬品名が前記後発医薬品として登録されていない旨を前記タッチパネル１３に表示させると共に、前記収容薬品名を前記後発医薬品として登録するか否かの確認メッセージ（例えば図９（Ｃ）参照）を表示させる。
【０２１９】
＜ステップＳ８２＞
そして、ステップＳ８２において、前記制御部１１は、前記収容薬品名を前記後発医薬品として登録する旨の操作が前記タッチパネル１３に対して行われたと判断すると（Ｓ８２のＹｅｓ側）、処理をステップＳ８３に移行させる。なお、前記制御部１１は、前記収容薬品名を前記後発医薬品として登録しない旨の操作が前記タッチパネル１３に対して行われると（Ｓ８２のＮｏ側）、当該後発医薬品の登録処理を終了させる。
【０２２０】
＜ステップＳ８３＞
ステップＳ８３において、前記制御部１１は、前記後発医薬品マスターに前記後発医薬品を登録するためのメンテナンス画面Ｐ３８を前記タッチパネル１３に表示させる。具体的に、前記制御部１１は、前記ステップＳ６１で選択された前記処方薬品名が前記医薬品マスターに登録された前記先発医薬品名に該当する場合には、その先発医薬品名に対応付けて前記後発品医薬品を登録するための前記メンテナンス画面Ｐ３８を表示させる。一方、前記ステップＳ６１で選択された前記処方薬品名が前記後発医薬品マスターに登録された前記後発医薬品名に該当する場合には、その後発医薬品名に対応する前記先発医薬品名を前記後発医薬品マスターに基づいて特定する。そして、その特定された前記先発医薬品名に対応付けて前記後発医薬品名を登録するための前記メンテナンス画面Ｐ３８を表示させる。
【０２２１】
ここに、図３８は、前記メンテナンス画面Ｐ３８の一例を示す図である。図３８に示すように、前記メンテナンス画面Ｐ３８には、前記先発医薬品名、及び前記先発医薬品に対応する既登録の後発医薬品が表示されると共に、前記収容薬品名が前記先発医薬品の後発医薬品として追加された状態が表示される。例えば、図３８に示す前記メンテナンス画面Ｐ３８では、先発医薬品である「ガスター散１０％」の後発医薬品として「ガスドッグ散１０％」が登録されていない場合に、前記収容薬品名としてその「ガスドッグ散１０％」が読み取られた場合の表示例を示している。
【０２２２】
＜ステップＳ８４〜Ｓ８５＞
そして、ステップＳ８４〜Ｓ８５において、前記制御部１１は、前記メンテナンス画面Ｐ３８において登録キーＫ３８１又は終了キーＫ３８２の操作を待ち受ける（Ｓ８４、Ｓ８５のＮｏ側）。ここで、前記制御部１１は、前記登録キーＫ３８１が操作されたと判断すると（Ｓ８４のＹｅｓ側）、処理をステップＳ８６に移行させる。一方、前記制御部１１は、前記終了キーＫ３８２が操作されたと判断すると（Ｓ８５のＹｅｓ側）、前記収容医薬品を前記後発医薬品として登録することなく、当該後発医薬品の登録処理を終了させる。
【０２２３】
＜ステップＳ８６＞
ステップＳ８６において、前記制御部１１は、前記処方薬品を前記後発医薬品として前記後発医薬品マスターに登録し、前記メンテナンス画面Ｐ３８で登録された後発医薬品に変更するか否かを確認するための確認メッセージを表示させる。
【０２２４】
＜ステップＳ８７＞
そして、前記後発医薬品に変更する旨の操作が行われると（Ｓ８７のＹｅｓ側）、前記制御部１１は、処理をステップＳ８８に移行させる。ステップＳ８８において、前記制御部１１は、前記ステップＳ７２と同様に前記処方薬品を前記後発医薬品に変更した後の前記処方画面Ｐ２３（図３５参照）を前記タッチパネル１３に表示させる。一方、前記後発医薬品に変更しない旨の操作が行われると（Ｓ８７のＮｏ側）、前記制御部１１は、前記処方薬品を前記後発医薬品に変更することなく当該後発医薬品の登録処理を終了させる。
【０２２５】
［起動処理］
また、前記薬品秤量装置１０では、前記薬品秤量装置１０の電源が投入されて前記薬品秤量装置１０が起動する際に前記制御部１１によって予め設定された起動処理が実行される。なお、前記薬品秤量装置１０が省電力モードから通常モードに復帰した場合、又は前記薬品秤量装置１０において日付の更新処理が実行された場合などに前記制御部１１により前記起動処理が実行されることも考えられる。以下、図３９を参照しつつ、前記起動処理の手順の一例について説明する。
【０２２６】
＜ステップＳ９１＞
前記薬品秤量装置１０の電源が投入されて前記薬品秤量装置１０が起動されると、ステップＳ９１において、前記ＣＰＵ１１１が前記ＳＤカード１１２に記憶された前記カーネル１１４及び前記ＯＳ１１５を実行することにより前記制御部１１による前記薬品秤量装置１０の制御が可能な状態となる。
【０２２７】
＜ステップＳ９２〜Ｓ９４＞
ステップ９２において、前記制御部１１は、前記ＵＳＢポート１６に前記データ記憶部１５が接続されているか否かを確認する。そして、前記制御部１１は、ステップＳ９３において、前記データ記憶部１５の接続が確認された場合は（Ｓ９３のＹｅｓ側）、処理をステップＳ９３１に移行させ、前記データ記憶部１５の接続が確認されなかった場合は（Ｓ９３のＮｏ側）、処理をステップＳ９４に移行させる。ステップＳ９４において、前記制御部１１は、前記ＳＤカード１１２内の前記秤単体アプリ１１６を起動することにより前記薬品秤量装置１０を電子天秤として動作させる。その後、前記制御部１１は、ステップＳ９５において、前記タッチパネル１３に対する電源ＯＦＦ操作が行われた場合に（Ｓ９５のＹｅｓ側）、続くステップＳ９６において前記薬品秤量装置１０のシャットダウン処理を実行して電源をＯＦＦにする。
【０２２８】
＜ステップＳ９３１〜Ｓ９３２＞
一方、前記データ記憶部１５の接続が確認された場合、前記制御部１１は、続くステップＳ９３１において、予め設定された更新処理を実行した後、前記薬品秤量プログラム１５４を起動させ（Ｓ９３２）、処理を前記ステップＳ９５に移行させる。
【０２２９】
具体的に、前記更新処理において、前記制御部１１は、前記データ記憶部１５に記憶された前記薬品秤量プログラム１５４が最新であるか否かを判断する。なお、前記薬品秤量プログラムが最新であるか否かの判断は、例えば前記上位システム７０又は前記ネットワークＮを介してインターネット等から更新情報を取得することによって行われる。ここで、前記薬品秤量プログラム１５４が最新でないと判断した場合、前記制御部１１は、最新の前記薬品秤量プログラム１５４をダウンロードして前記データ記憶部１５の前記薬品秤量プログラム１５４を更新する。
【０２３０】
そして、前記制御部１１は、予め設定された削除対象期間が経過した前記処方箋情報、前記秤量結果、充填記録、薬品使用量、インシデント履歴、及びエラー履歴などのデータを前記データ記憶部１５の前記データベース１５５から削除する。なお、前記充填記録は前記薬品秤量装置１０で秤量して薬瓶に充填した履歴として記録される前記薬瓶ごとの充填量、前記薬品使用量は前記薬品秤量装置１０で秤量した薬品の履歴として記録される前記薬品ごとの使用量である。また、前記インシデント履歴は前記薬品秤量装置１０で発生したインシデント又は前記薬品秤量装置１０に外部から入力されたインシデントの情報、前記エラー履歴は前記薬品秤量装置１０で発生したエラーの情報である。
【０２３１】
その後、前記制御部１１は、前記データ記憶部１５の前記データベース１５５に記憶された前記処方箋情報、前記秤量結果、各種マスター情報（後発医薬品マスター等）、及びシステム設定情報などの各種データをバックアップする。具体的に、前記制御部１１は、ＳＱＬ言語を使用するＳＱＬｉｔｅ（登録商標）、ＭｙＳＱＬ（登録商標）、又はＰｏｓｔｇｒｅＳＱＬ（登録商標）などの周知のデータベース管理システムを利用して前記データベース１５５を管理する。そこで、前記制御部１１は、データベース形式で記憶された前記処方箋情報、前記秤量結果、各種マスター情報、及びシステム設定情などの各テーブルデータを、前記データベース管理システムのバックアップ機能を利用して前記データベースダンプファイル１５６として出力し、前記データ記憶部１５に記憶させる。このとき、前記制御部１１は、前記更新処理が正常に終了すると、最新の前記データベースダンプファイル１５６のみ、又は予め設定された数の前記データベースダンプファイル１５６のみを残し、それ以前の前記データベースダンプファイル１５６を削除する。なお、前記制御部１１によるバックアップ先は、前記データ記憶部１５内に限らず、例えば前記薬品包装装置２０、前記上位システム７０、又はインターネット上のサーバー装置であることも考えられる。このように、前記薬品秤量装置１０では、起動時にバックアップが実行されるため、その後に前記薬品秤量装置１０に異常が生じて前記データベースに破損などが生じた場合であっても、少なくとも前記薬品秤量装置１０の起動時まで前記データベースを復元することができる。
【０２３２】
［薬品秤量処理の変形例］
そして、このように構成された前記薬品秤量システム２でも、前記薬品秤量装置１０において、前記制御部１１により前記薬品秤量処理（図５参照）と同様の薬品秤量処理が実行される。但し、前述したように、前記薬品秤量システム２では、前記薬品秤量装置１０で実行される前記ステップＳ１における前記処方箋情報の読み取り手法が異なる。具体的に、前記制御部１１は、前記バーコードリーダー１７を用いた前記処方箋情報の読み取りに加えて前記上位システム７０からの前記処方箋情報を受け付けることが可能である。即ち、前記薬品秤量処理の前記ステップＳ１において、前記制御部１１は、前記上位システム７０から受信して前記データ記憶部１５に記憶された前記処方箋情報のいずれかが前記タッチパネル１３に対するユーザー操作に応じて選択された場合にも、前記処方箋情報が入力されたと判断して処理を前記ステップＳ２に移行させる。また、前記制御部１１は、前記システム連動の種類が「順次」に設定されている場合には、前記上位システム７０から取得して前記データ記憶部１５に記憶された前記処方箋情報を時系列順に自動的に読み出すときにも処理を前記ステップＳ２に移行させる。
【０２３３】
ここで、前記ステップＳ２において、前記薬品秤量装置１０の秤量対象となるレシピが決定すると、前記制御部１１は、前記レシピに対応するトレイ番号を設定する自動採番処理を実行する。前記トレイ番号は、前記薬品秤量装置１０において前記制御部１１により自動的に設定される４桁の値であって、前記薬品秤量システム２において前記薬品秤量装置１０ごとに重複しないように予め設定された範囲内で設定される。例えば、図１７に示すように、前記薬品秤量システム２に４台の前記薬品秤量装置１０が接続されている場合、前記薬品秤量装置１０ごとに、「００００」〜「１０００」、「１００１」〜「２０００」、「２００１」〜「３０００」、「３００１」〜「４０００」までのトレイ番号が予め割り当てられる。また、前記トレイ番号は、前記レシピごとに一つ割り当てられる番号であって、前記レシピ内に複数の処方薬品が含まれる場合でも、前記処方薬品各々に共通の番号としてナンバーリングされる。
【０２３４】
このとき、前記制御部１１は、前記トレイ番号が、前記薬品包装装置２０各々のデータ記憶部２６に設けられた前記共有フォルダに記憶されたトレイ番号と一致しないことを確認する。具体的に、前記共有フォルダには、前記薬品包装装置２０における分包処理が完了していない前記トレイ番号のみが残存しており、前記分包処理が完了した前記トレイ番号は前記薬品包装装置２０の前記制御部２１によって消去される。一方、前記薬品秤量装置１０の前記制御部１１は、前記トレイ番号が前記共有フォルダに記憶されていない場合には、前記トレイ番号を前記薬品包装装置２０の前記共有フォルダに記憶させる。また、前記制御部１１は、前記データ記憶部２５に記憶された前記処方箋情報のうちここで設定された前記トレイ番号に対応する前記レシピ情報に、前記トレイ番号との対応情報を追加する。これにより、前記薬品包装装置２０では、前記トレイ番号に基づいて前記レシピ情報を前記データ記憶部２５から読み出すことが可能となる。なお、前記制御部１１による前記データ記憶部２５への前記レシピ情報及び前記トレイ番号の対応関係の記録のタイミングは、前記ＲＦＩＤリーダライタ１４により前記ＲＦＩＤタグ３１に前記トレイ番号を記録させるタイミングであってもよい。また、前記制御部１１が、前記レシピ情報を前記データ記憶部２５に記憶させるタイミングは、前記レシピ情報に前記トレイ番号が対応付けられた後であってもよい。
【０２３５】
他方、前記レシピに割り当てるために採番した前記トレイ番号が前記共有フォルダ内に記憶されている場合、前記制御部１１は、前記トレイ番号の次の番号を前記レシピに対応する前記トレイ番号として設定する。即ち、前記制御部１１は、前記共有フォルダに記憶されていないトレイ番号を前記レシピに割り当てる。これにより、前記薬品秤量装置１０では、前記薬品包装装置２０における分包処理が未完了の他の前記レシピと前記トレイ番号が重複することが防止される。なお、前記薬品秤量システム２に前記薬品包装装置２０が複数接続されている場合には、前記共有フォルダが前記薬品包装装置２０各々に設けられていてもよい。一方、いずれか一つの前記薬品包装装置２０にのみ前記共有フォルダが設けられており、他の前記薬品包装装置２０が前記共有フォルダの前記トレイ番号を参照又は消去することも考えられる。
【０２３６】
さらに、前記制御部１１は、前記ステップＳ２において、前記トレイ番号を前記共有フォルダに記憶させた後、前記トレイ番号に対応する前記レシピの分包処理をいずれの前記薬品包装装置２０で実行するかを選択する号機選択画面Ｐ４０を前記タッチパネル１３に表示させる。ここに、図４０は、前記号機選択画面Ｐ４０の一例を示す図である。図４０に示すように、前記号機選択画面Ｐ４０には、前記薬品包装装置２０ごとに予め設定された号機番号を選択するための号機選択キーＫ４０１が表示されている。前記制御部１１は、前記号機選択キーＫ４０１の操作に応じてプルダウンメニューで予め設定された数の号機番号を表示させ、前記プルダウンメニューで選択された号機番号を前記号機選択キーＫ４０１に入力する。なお、前記プルダウンメニューで表示される号機番号の数は、前記薬品秤量システム２に接続された前記薬品包装装置２０の数、又は前記薬品秤量システム２に接続可能な最大数であることが考えられる。
【０２３７】
また、前記号機選択画面Ｐ４０には、前記薬品包装装置２０における分包処理において使用するホッパーを選択するためのホッパー選択キーＫ４０２が表示されている。前記制御部１１は、前記ホッパー選択キーＫ４０２の操作に応じてプルダウンメニューで予め設定されたホッパー番号を表示させ、前記プルダウンメニューで選択されたホッパー番号を前記ホッパー選択キーＫ４０２に入力する。例えば、前記プルダウンメニューには、前記薬品包装装置２０に設けられた前記ホッパー２５Ａを示す「Ａ」、前記ホッパー２５Ｂを示す「Ｂ」、又は前記ホッパー２５Ａ及び２５Ｂのいずれでもよい旨を示す「ＡＢ」が表示されることが考えられる。なお、前記制御部１１が、前記ホッパー選択キーＫ４０２におけるプルダウンメニューの表示を、前記号機選択キーＫ４０１で選択された号機番号に対応する前記薬品包装装置２０に設けられたホッパーの数に応じて変更することも考えられる。
【０２３８】
なお、前記号機選択画面Ｐ４０では、前記号機選択キーＫ４０１及び前記ホッパー選択キーＫ４０２が表示されており、同時期に前記号機番号及び前記ホッパー番号を入力する場合を例に挙げたがこれに限らない。具体的に、前記制御部１１が、前記ステップＳ２では前記号機選択キーＫ４０１だけが表示された号機選択画面を表示させて前記号機番号を入力させ、その後、前記薬品秤量装置１０における処方薬品の秤量作業の完了時に前記ホッパー選択キーＫ４０２だけが表示されたホッパー選択画面を表示させて前記ホッパー番号を入力させることが考えられる。これにより、一つの前記レシピに複数の処方薬品が含まれる場合に、前記処方薬品ごとに前記ホッパーを選択することが可能である。また、前記処方薬品ごとに前記号機番号を入力する手間も省略される。
【０２３９】
そして、前記薬品秤量処理の前記ステップＳ９（図５参照）に相当する処理では、前記制御部１１は、前記トレイ番号、前記号機番号、及び前記ホッパー番号を前記ＲＦＩＤリーダライタ１４により前記ＲＦＩＤタグ３１に書き込む。これにより、前記ＲＦＩＤ３１が設けられた前記調剤シート３０が前記薬品包装装置２０にセットされたときに、前記薬品包装装置２０では前記制御部２１によって前記ＲＦＩＤ３１に記憶された前記号機番号が前記薬品包装装置２０の号機番号と一致するか否かを照合することができる。また、前記薬品包装装置２０では、前記制御部２１が、前記調剤シート３０の薬品の投入先を前記ホッパー番号に応じて自動的に設定することが可能である。そして、前記薬品包装装置２０では、前記トレイ番号に対応付けて前記データ記憶部２６に記憶された前記レシピ情報が前記制御部２１によって前記データ記憶部２６から読み出される。なお、前記トレイ番号に対応付けて前記号機番号及び前記ホッパー番号が前記データ記憶部２６の前記共有フォルダに記憶されており、前記制御部２１が前記トレイ番号に応じて前記共有フォルダから前記号機番号及び前記ホッパー番号を読み出すことも考えられる。
【０２４０】
また、前記薬品秤量装置１０では、前記制御部１１が、前記トレイ番号、前記号機番号、及び前記ホッパー番号を、処方薬品単位でなくレシピ単位で前記ＲＦＩＤタグ３１に情報を書き込むことも可能である。この場合、前記制御部１１は、一つのレシピに含まれた複数の処方薬品の秤量が全て終了すると、前記処方画面Ｐ２３（図２３参照）における「登録」キーを操作可能な状態に移行させると共に、「薬剤トレイをセットしてください」などの案内を前記タッチパネル１３に表示させる。そして、前記制御部１１は、前記処方画面Ｐ２３において「登録」キーが操作されると、前記レシピに対応する前記トレイ番号、前記号機番号、及び前記ホッパー番号を前記ＲＦＩＤリーダライタ１４によって前記ＲＦＩＤタグ３１に書き込む。
【０２４１】
［分包入力処理］
一方、前記薬品包装装置２０では、前記制御部２１により、前記薬剤シート３０の前記ＲＦＩＤタグ３１から前記トレイ番号を読み取り、前記トレイ番号に対応する前記レシピ情報及び前記秤量結果を分包対象のデータとして入力する分包入力処理が実行される。
【０２４２】
ここに、前記レシピ情報には、処方日、トレイ番号、処方番号、データ単位、薬品明細番号、薬品コード、患者ＩＤ、引換券番号、号機番号、ホッパー情報、及び状態区分などが含まれる。前記薬品明細番号は、前記レシピ情報に対応する前記秤量結果などを特定するための情報である。前記ホッパー情報は、前記薬品包装装置２０において使用するホッパーを示す情報であり、例えば前記ホッパー２５Ａが選択されている場合は「Ａ」、前記ホッパー２５Ｂが選択されている場合は「Ｂ」、前記ホッパー２５Ａ及び前記ホッパー２５Ｂのいずれでもよい旨が選択されている場合は「ＡＢ」で表される。
【０２４３】
前記分包入力処理において、前記制御部２１は、前記ＲＦＩＤリーダライタ２４により前記ＲＦＩＤタグ３１から読み取られる前記トレイ番号に基づいて前記データ記憶部２６から前記トレイ番号に対応する前記レシピ情報を読み出す。そして、前記制御部２１は、前記レシピ情報を前記タッチパネル２３に表示される分包入力画面Ｐ４１に表示させる。ここに、図４１及び図４２は、前記分包入力画面Ｐ４１の一例を示す図である。
【０２４４】
図４１に示すように、前記分包入力画面Ｐ４１は、前記レシピ情報に含まれる処方薬品の薬品数などの情報が表示される表示領域Ａ４１１を含む。また、前記分包入力画面Ｐ４１は、前記レシピ情報に含まれる処方薬品のうち前記ＲＦＩＤリーダライタ２４により前記ＲＦＩＤタグ３１から既に読み取られた処方薬品の一覧、前記処方薬品各々の前記秤量結果、前記分包パターン、及び前記ホッパー番号などが表示される表示領域Ａ４１２を含む。これにより、ユーザーは、前記薬品包装装置２０において前記レシピの分包動作を開始させるために現在不足している薬品数などを容易に把握することができる。また、処方箋と前記分包入力画面Ｐ４１に表示された処方薬品の一覧とを比べることにより、前記レシピ情報の分包動作を開始させるために現在不足している薬品名を把握することも可能である。そして、前記制御部２１は、図４２に示すように、前記分包入力画面Ｐ４２に表示された前記レシピ情報に含まれる全ての処方薬品が読み込まれると、分包動作を開始するための発行キーＫ４１３を操作可能な状態に変化させる。その後、前記制御部２１は、前記発行キーＫ４１３の操作に応じて前記レシピ情報についての分包動作を開始する。
【０２４５】
また、前記制御部２１が、前記ＲＦＩＤリーダライタ２４により前記ＲＦＩＤタグ３１から前記トレイ番号を読み取った際に、前記トレイ番号に対応する前記レシピ情報に含まれた処方薬品の一覧を前記分包入力画面Ｐ４１に表示させることも考えられる。そして、前記制御部２１は、前記分包入力画面Ｐ４１に表示された前記薬品名の一覧に、前記処方薬品各々の情報が前記ＲＦＩＤタグ３１から読み取られたか否かを示す文字（「○」又は「×」など）又はイメージ等の確認情報を表示させることが考えられる。これにより、ユーザーは、前記分包入力画面Ｐ４１を確認することにより、現在不足している薬品数及び薬品名を容易に把握することができる。なお、前記分包入力画面Ｐ４１における前記処方薬品各々の読み取りの有無は、例えば前記処方薬品各々の表示位置の表示色（グレーアウトの有無）などを変更することによって表されてもよい。
【０２４６】
ところで、一つの前記調剤シート３０に前記レシピ情報に含まれる複数の前記処方薬品が載せられており、前記レシピ単位で前記ホッパー２５Ａ又は前記ホッパー２５Ｂへの投入が行われる構成も考えられる。この場合、前記制御部２１は、前記調剤シート３０の前記ＲＦＩＤタグ３１から前記トレイ番号を読み取った時点で、前記前記分包入力画面Ｐ４１を表示することなく前記レシピ情報に関する分包動作を開始するためのモニター画面を表示させる。
【０２４７】
［検薬印字処理］
また、前記薬品包装装置２０において、前記制御部２１が、前記印字部２７を用いて前記分包紙に前記薬品秤量装置１０から出力された前記秤量結果などを印字出力させる検薬印字処理を実行することが考えられる。
【０２４８】
具体的に、前記検薬印字処理において、前記制御部２１は、前記薬品包装装置２０の分包動作で出力される一連の分包紙の最初又は最後に、予め設定された検薬情報を印字した分包紙を追加して出力させる。なお、前記検薬情報の内容は、前記薬品包装装置２０における初期設定などにおいて、前記タッチパネル２３に対するユーザー操作に応じて前記制御部２１が変更可能である。
【０２４９】
ここに、図４３及び図４４は、前記検薬情報の印字イメージの一例を示す図である。図４３に示す前記検薬情報には、日付（07年11月26日）、患者氏名（湯山太郎）、引換券番号（５６７８）、日数（３）、薬包込総重量（369.0000ｇ）が含まれる。前記薬包込総重量は、前記レシピ単位の分包に用いられる分包紙の総重量と前記レシピ情報に含まれた処方薬品の総重量との合計値である。例えば、前記制御部２１は、前記薬品秤量装置１０から出力される前記レシピ情報に含まれる前記分包紙の総重量と、前記薬品秤量装置１０から出力される前記秤量結果とを合算することにより前記薬包込総重量を算出することが可能である。なお、前記薬品秤量装置１０では、前記制御部１１が、前記レシピ単位の分包に用いられる分包紙の数に、予め設定された前記分包紙の一枚あたりの重量を乗じた値を前記分包紙の総重量として算出し、前記レシピ情報の一項目として記録する。前記制御部１１は、前記分包紙の一枚あたりの重量を、例えば前記分包紙の種類を設定するための前期設定キーＫ２３５（図２４参照）の操作によって選択された前記分包紙の素材及び長さの組み合わせに応じて判断することが可能である。このように、前記分包紙に前記検薬情報が印刷されていることにより、例えばユーザーが処方箋を参照することなく、前記レシピ単位の分包動作の監査を行うことができる。例えば、ユーザーは、前記検薬情報が印刷された前記分包紙を一連の分包紙から切り離し、残りの前記分包紙の総重量を前記薬品秤量装置１０又は他の電子天秤などで秤量する。そして、ユーザーは、前記検薬情報として印刷された前記薬包込総重量と実際の秤量値とを比べることにより監査を行う。
【０２５０】
また、図４４に示す前記検薬情報には、薬品名、分包パターン（11111111）、有効期限（07年11月26日）、ロット番号、実測値（369.0000ｇ）、及び理論値（369.0000ｇ）などの情報が含まれている。前記分包パターンは、前記レシピ情報で定められた服用時期（朝、昼、夕など）を、予め設定された複数桁における「１」、「０」の位置で示すための情報である。前記実測値は、前記薬品秤量装置１０において実際に秤量された処方薬品の総重量であり、前記薬品秤量装置１０から出力される前記秤量結果に含まれる情報である。また、前記理論値は、前記レシピ情報に含まれた１日量、用法、及び日数などに基づいて算出される処方薬品の理論上の総重量である。例えば、前記制御部２１は、１日量と用法で定められた服用回数とを乗じた値に、更に日数を乗じた最大重量から、服用時期内で服用対象外である処方薬品の重量を差し引くことにより前記理論値を算出する。具体的に、用法として朝、昼、夕の３回が設定されている場合であって、服用開始時期及び服用終了時期が共に昼である場合、初日の朝の分の薬品の重量と最終日の夕の分の薬品の重量との合計が前記最大重量から除外されることにより前記理論値が算出される。このような場合にも、ユーザーは前記検薬情報が印字された前記分包紙を参照しつつ前記薬品秤量装置１０又は他の電子天秤などを用いてレシピ単位の分包の監査を行うことができる。
【０２５１】
［実施の形態の概要］
本発明に係る薬品秤量装置は、秤量手段、処方箋情報読取手段、収容薬品情報読取手段、及び制御手段を備える。前記秤量手段は薬品を秤量する。前記処方箋情報読取手段は、処方箋に記録された一又は複数の処方薬品を識別する処方薬品識別情報を含む処方箋情報を前記処方箋から読み取る。前記収容薬品情報読取手段は、薬品容器に記録された収容薬品を識別する収容薬品識別情報を含む収容薬品情報を前記薬品容器から読み取る。前記制御手段は、前記収容薬品情報読取手段により読み取られた前記収容薬品が前記処方箋情報読取手段により読み取られた前記処方薬品のいずれかに該当する場合に、当該処方薬品を秤量対象として選択し、当該処方薬品を秤量対象とする秤量画面を表示手段に表示させる。前記処方箋情報には、例えば処方箋交付年月日、患者ＩＤ、患者名、患者生年月日、剤形情報（内服、外用など）、薬品情報（薬品コード、薬品名、用量）、用法情報（１日３回毎食後など）などが含まれる。なお、前記処方薬品識別情報及び前記収容薬品識別情報とは、薬品の種別を特定することのできる薬品名又は薬品コードなどの情報である。
【０２５２】
本発明によれば、前記収容薬品が前記処方薬品のいずれかに該当する場合には、当該処方薬品が秤量対象として自動的に選択されて前記秤量画面に表示される。即ち、本発明によれば、ユーザーは、前記収容薬品情報読取手段に前記薬品容器の前記収容薬品情報を読み取らせる作業だけで、前記薬品秤量装置において、前記処方薬品及び前記収容薬品の照合と、前記処方箋情報における秤量対象の処方薬品の選択とを同時に実現することができる。これにより、前記処方箋情報に複数の処方薬品が含まれている場合に、秤量対象となる処方薬品を選択するための操作を省略することができ、医師又は薬剤師などのユーザーによる調剤効率を高めることができる。従って、本発明によれば、調剤支援システムなどの上位システムとの連携を持たずに処方箋に従った正確な薬品の秤量を容易に行うことが可能である。
【０２５３】
ここで、前記薬品秤量装置がバーコード又は二次元コードから情報を読み取るコード読取手段を備える構成が考えられる。この場合、前記処方箋情報読取手段は、前記処方箋に記録されたバーコード又は二次元コードから前記コード読取手段により前記処方箋情報を読み取り、前記収容薬品情報読取手段は、前記薬品容器に記録されたバーコード又は二次元コードから前記コード読取手段により前記収容薬品情報を読み取ることが考えられる。例えば、前記コード読取手段を備える構成では、ユーザーは、処方箋の二次元コード及び薬品容器（薬瓶など）のバーコードを前記コード読取手段に順次読み取らせることにより正確且つ簡単に前記処方箋に従った薬品の秤量を行うことができる。特に、ユーザーは、薬品容器に記録されたバーコードを前記コード読取手段に読み取らせる作業のみにより、前記薬品秤量装置において、前記収容薬品及び前記処方薬品の照合と、秤量対象の薬品の選択とを実現することができる。また、前記処方箋情報読取手段及び前記収容薬品情報読取手段各々で前記コード読取手段を兼用することが可能であるため、前記収容薬品情報読取手段及び前記コード読取手段を備えた従来構成において新たな構成要素を追加する必要もない。なお、前記バーコードは、水平方向のみに情報を持つ一次元コードであり、例えばＪＡＮコード、ＲＳＳなどである。二次元コードは、水平方向及び垂直方向に情報を持つものであり、例えばＱＲコード（登録商標）などである。また、前記処方箋情報読取手段及び前記収容薬品情報読取手段は、例えば文字認識技術又は画像認識技術を用いて前記処方箋又は前記薬品容器から直接情報を読み取ってもよい。
【０２５４】
また、前記薬品秤量装置が、バーコード又は二次元コードから情報を読み取るコード読取手段と、情報記録媒体から無線通信により情報を読み取る無線読取手段とを更に備える構成も考えられる。この場合、前記処方箋読取手段は、前記処方箋に記録されたバーコード又は二次元コードから前記コード読取手段により前記処方箋情報を読み取り、前記収容薬品情報読取手段は、前記薬品容器に設けられた情報記録媒体から前記無線読取手段により前記収容薬品情報を読み取ることが考えられる。
【０２５５】
また、前記処方箋情報は、前記処方箋に記録された前記処方薬品の処方量に関する情報を含む。この場合、前記秤量画面は、例えば秤量対象の前記処方薬品及び前記処方薬品の処方量の表示を含む。これにより、ユーザーは、前記収容薬品情報読取手段に前記薬品容器の前記収容薬品情報を読み取らせる作業だけで、前記薬品秤量装置において、前記処方箋情報における秤量対象の前記処方薬品及び前記処方薬品の処方量を自動的に表示させることができる。
【０２５６】
一方、前記制御手段は、前記収容薬品が前記処方薬品のいずれにも該当しない場合にその旨を表示することが考えられる。これにより、ユーザーに前記薬品容器の選択が誤りであることを警告することができる。なお、前記表示手段は、例えば文字、画像、音声、又は光などにより前記表示を行うものである。
【０２５７】
また、前記薬品秤量装置が、前記処方薬品ごとの秤量の完了を入力するための第１入力手段と、前記処方箋情報ごとの秤量の完了を入力するための第２入力手段と、前記第２入力手段により秤量の完了が入力された前記処方箋情報に含まれている前記処方薬品の中に前記第１入力手段により秤量の完了が入力されていない処方薬品が存在する場合にその旨を表示する未完了表示手段と、を備えることが考えられる。これにより、前記処方箋情報に含まれた処方薬品に関する秤量忘れを防止することができる。
【０２５８】
さらに、前記薬品秤量装置は、先発医薬品を識別する先発医薬品識別情報と後発医薬品（ジェネリック医薬品）を識別する後発医薬品識別情報との対応関係が定められた後発医薬品情報が記憶された後発医薬品情報記憶手段を備えることが考えられる。なお、前記先発医薬品識別情報及び前記後発医薬品識別情報とは、薬品の種別を特定することのできる薬品名又は薬品コードなどの情報である。この場合、前記制御手段は、前記収容薬品が前記後発医薬品のいずれかに該当し、且つ当該後発医薬品に対応する前記先発医薬品が前記処方薬品のいずれかに該当する場合に、当該後発医薬品を使用するか否かを任意に選択するための確認画面を表示させると共に、前記確認画面に従って当該後発医薬品を使用する旨の操作入力が行われた場合に当該収容薬品を秤量対象として選択することが考えられる。これにより、後発医薬品を用いる場合にも正しい秤量として処理することができる。なお、先発医薬品とは特許権の有効期間経過前の薬品を示し、後発医薬品とは有効期間経過後に他社から供給される薬品を示す。
【０２５９】
このとき、前記制御手段は、前記収容薬品が前記処方薬品及び前記後発医薬品のいずれにも該当しない場合に、前記収容薬品を前記後発医薬品として前記後発医薬品情報に登録するための登録画面を表示させ、前記登録画面に従った操作入力に応じて前記後発医薬品情報を編集することが望ましい。これにより、ユーザーは前記薬品秤量装置を使用する日々の運用の中で簡単に前記後発医薬品情報を編集してその内容を充実させることができる。
【０２６０】
また、前記薬品秤量装置は、前記秤量手段による秤量時に薬品が載置される薬品載置部材に設けられた記録媒体に、前記秤量手段により秤量された薬品に関する秤量薬品情報を少なくとも記録する記録手段を備えることが考えられる。さらに、前記記録手段は、前記記録媒体に前記処方箋情報の一部又は全部を更に記録してもよい。なお、前記記録媒体は例えばＲＦＩＤタグである。
【０２６１】
これにより、例えば前記薬品載置部材に載置された薬品を薬品包装装置で包装する工程などの次の処理工程で、前記記録媒体から前記秤量薬品情報や前記処方箋情報を読み取り、前記秤量薬品情報及び／又は前記処方箋情報に基づいて既定の適切な処理を行うことが可能となる。
【０２６２】
さらに、前記薬品秤量装置は、薬品ごとに対応して予め定められた適正量に関する適正量情報を含む薬品情報が記憶された薬品情報記憶手段と、前記秤量手段により秤量された秤量値が薬品ごとに予め設定された適正量の範囲内であるか否かの監査を前記薬品情報記憶手段に記憶された前記適正量情報に基づいて行う監査手段とを更に備えることが考えられる。また、前記薬品情報に、前記薬品ごとに対応して予め定められた、同時期の服用が禁止された薬品に関する同時服用禁止情報が含まれている場合、前記監査手段は、前記処方箋情報に含まれた複数の薬品が同時期の服用が禁止されたものであるか否かの監査を前記薬品情報記憶手段に記憶された前記同時服用禁止情報に基づいて行うことが考えられる。これにより、例えばコンピュータなどの他の情報処理装置を用いることなく、前記薬品秤量装置単体で薬品の秤量と共に、前記常用量や同時期の服用の禁止に関する監査を行うことができる。従って、前記常用量を超える量の薬品の処方や、同時期に服用することで配合変化又は副作用が生じる複数の薬品の処方を、前記薬品秤量装置における薬品の秤量段階で防止することができる。
【０２６３】
また、薬品が投入される複数の投入部及び前記投入部各々に投入された薬品を包装する包装ユニットを有する薬品包装装置と、前記薬品秤量装置と、を備える薬品秤量システムの発明として捉えることができる。ここに、前記薬品包装装置は、前記記録媒体から情報を読み取る情報読取手段と、前記情報読取手段により読み取られた前記秤量薬品情報に基づいて前記投入部のいずれかを選択して表示する投入先表示手段と、を備える。これにより、前記薬品包装装置において、前記秤量薬品情報に基づいて前記投入部のいずれを用いるのかが表示されるため、薬品を投入する前記投入部を間違えるユーザーの人為的ミスを防止することができる。
【０２６４】
さらに、前記包装ユニットは、前記投入部各々に投入された散薬を１服用単位に分割する分割手段と、前記分割手段により分割された後の散薬を包装する包装手段とを備え、前記薬品包装装置は、前記秤量薬品情報に含まれた薬品の種別に応じて、当該散薬の種別ごとに予め設定された動作を前記分割手段又は前記包装手段に実行させる分包制御手段を備えることが考えられる。これにより、前記包装ユニットにおける分包動作について、前記秤量薬品情報や前記処方箋情報に含まれた散薬の種別に関する情報に基づいて当該散薬の種別ごとに既定の適切な処理を行うことが可能となる。
【０２６５】
ところで、本発明は、コンピュータに、処方箋情報読取工程、収容薬品情報読取工程、及び制御工程を実行させるための薬品秤量プログラムの発明として捉えてもよい。前記処方箋情報読取工程は、処方箋に記録された一又は複数の処方薬品を識別する処方薬品識別情報を含む処方箋情報を前記処方箋から読み取る。前記収容薬品情報読取工程は、薬品容器に記録された収容薬品を識別する収容薬品識別情報を含む収容薬品情報を前記薬品容器から読み取る。前記制御工程は、前記収容薬品情報読取工程により読み取られた前記収容薬品識別情報が示す前記収容薬品が前記処方箋情報読取工程により読み取られた前記処方薬品識別情報が示す前記処方薬品のいずれかに該当する場合に、当該処方薬品を秤量対象として選択し、当該処方薬品を秤量対象とする秤量画面を表示手段に表示させる。
【０２６６】
さらに、本発明は、前記薬品秤量プログラムを記録したコンピュータ読み取り可能な記録媒体の発明として捉えてもよい。
【符号の説明】
【０２６７】
１  ：薬品秤量システム
２  ：薬品秤量システム
１０：薬品秤量装置
１１：制御部
１１１：ＣＰＵ
１１２：ＳＤカード
１１４：カーネル
１１５：ＯＳ
１１６：秤単体アプリ
１１３：ＲＡＭ
１２：天秤ユニット
１３：タッチパネル
１４：ＲＦＩＤリーダライタ
１５：データ記憶部
１５１：ログ
１５２：設定ファイル
１５３：帳票レイアウトファイル
１５４：薬品秤量プログラム
１５５：データベース
１５６：データベースダンプファイル
１６：ＵＳＢポート
１７：バーコードリーダー
１８：プリンター
１９：天秤台
２０：薬品包装装置
２１：制御部
２２：包装ユニット
２３：タッチパネル
２４：ＲＦＩＤリーダライタ
２５：供給ホッパー
２５Ａ、２５Ｂ：ホッパー
２６：データ記憶部
２７：印字部
３０：薬剤シート
３１：ＲＦＩＤタグ
７０：上位システム
７１：制御部
７２：データ記憶部
【図１】
2020054851.tif 000003
【図２】
2020054851.tif 000004
【図３】
2020054851.tif 000005
【図４】
2020054851.tif 000006
【図５】
2020054851.tif 000007
【図６】
2020054851.tif 000008
【図７】
2020054851.tif 000009
【図８】
2020054851.tif 000010
【図９】
2020054851.tif 000011
【図１０】
2020054851.tif 000012
【図１１】
2020054851.tif 000013
【図１２】
2020054851.tif 000014
【図１３】
2020054851.tif 000015
【図１４】
2020054851.tif 000016
【図１５】
2020054851.tif 000017
【図１６】
2020054851.tif 000018
【図１７】
2020054851.tif 000019
【図１８】
2020054851.tif 000020
【図１９】
2020054851.tif 000021
【図２０】
2020054851.tif 000022
【図２１】
2020054851.tif 000023
【図２２】
2020054851.tif 000024
【図２３】
2020054851.tif 000025
【図２４】
2020054851.tif 000026
【図２５】
2020054851.tif 000027
【図２６】
2020054851.tif 000028
【図２７】
2020054851.tif 000029
【図２８】
2020054851.tif 000030
【図２９】
2020054851.tif 000031
【図３０】
2020054851.tif 000032
【図３１】
2020054851.tif 000033
【図３２】
2020054851.tif 000034
【図３３】
2020054851.tif 000035
【図３４】
2020054851.tif 000036
【図３５】
2020054851.tif 000037
【図３６】
2020054851.tif 000038
【図３７】
2020054851.tif 000039
【図３８】
2020054851.tif 000040
【図３９】
2020054851.tif 000041
【図４０】
2020054851.tif 000042
【図４１】
2020054851.tif 000043
【図４２】
2020054851.tif 000044
【図４３】
2020054851.tif 000045
【図４４】
2020054851.tif 000046